(57)【特許請求の範囲】
【請求項１】
無線通信システムにおける端末機器側に用いられる電子機器であって、
前記無線通信システムにおける基地局から、主同期信号、副同期信号及びＰＢＣＨをそれぞれに含む複数の同期信号ブロックを受信して、下りリンク同期を行い、前記複数の同期信号ブロックは、異なる基地局側発射ビームによって送信され、且つ同期信号ブロックは、基地局が該同期信号ブロックを送信するために使用される発射ビーム情報を指示し、
受信品質に基づいて前記端末機器と整合した同期信号ブロックを確定し、
前記基地局へランダムアクセスプリアンブルを送信してランダムアクセス過程を行い、そのうち、前記ランダムアクセスプリアンブルは、前記同期信号ブロックの内容に基づいて演算された発射ビームと前記端末機器側受信ビームとの相関度が所定の閾値以上である発射ビーム情報であって、基地局の該整合した同期信号ブロックの送信に使用される発射ビーム情報を指示し、これにより、前記基地局がビーム管理を行う
ように配置される処理回路システムを含み、
受信された発射ビームに載置された同期信号ブロックにおける主同期信号系列と、予め記憶された主同期信号系列集合における主同期信号系列との相関演算を行い、発射ビームに載置された主同期信号系列の相関程度に基づいて、整合した発射ビーム及び整合した主同期信号系列を確定し、
前記整合した発射ビームに載置された同期信号ブロックにおける副同期信号系列と副同期信号系列集合における副同期信号系列との相関演算を行うことで、整合した副同期信号系列を確定する電子機器。
【請求項２】
前記同期信号ブロックは、同期信号ブロックにおける参照信号系列自身によって、基地局の該同期信号ブロックの送信に使用される発射ビーム情報を指示する
請求項１に記載の電子機器。
【請求項３】
前記同期信号ブロックは追加的な情報ビットを更に含み、該追加的な情報ビットによって基地局の該同期信号ブロックの送信に使用される発射ビーム情報を指示する
請求項１に記載の電子機器。
【請求項４】
前記ランダムアクセスプリアンブルのプリアンブル系列は、基地局の該整合した同期信号ブロックの送信に使用される発射ビーム情報を指示する
請求項１に記載の電子機器。
【請求項５】
複数のプリアンブル系列は、同一の同期信号ブロックの発射ビーム情報を指示するために用いられ、前記電子機器は、前記基地局からのシグナリングから、複数のプリアンブル系列と同期信号ブロックの発射ビームとの対応関係を確定する
請求項４に記載の電子機器。
【請求項６】
前記処理回路システムは、更に、
前記基地局からランダムアクセス配置情報を含むラジオリソース制御シグナリングを受信し、前記ランダムアクセス配置情報は、基地局側ビームと複数のランダムアクセスタイミングとの対応関係を含み、
前記ランダムアクセス配置情報に基づいて、特定のランダムアクセスタイミングを選択してランダムアクセスプリアンブルを発射して、基地局の該整合した同期信号ブロックの送信に使用される発射ビーム情報を指示する、ように配置される
請求項１から５のいずれか一項に記載の電子機器。
【請求項７】
前記処理回路システムは、更に、前記整合した同期信号ブロックに対応する発射ビーム方向上に基地局が発射したＣＳＩ−ＲＳビームを受信し、該端末機器と整合したＣＳＩ−ＲＳビーム情報を前記基地局にフィードバックする、ように配置される
請求項１から５のいずれか一項に記載の電子機器。
【請求項８】
前記処理回路システムは、更に、複数の受信ビームを使用して前記複数の同期信号ブロックを受信し、且つ受信品質に基づいて前記端末機器と整合した受信ビームを確定する、ように配置される
請求項１に記載の電子機器。
【請求項９】
前記無線通信システムは、ビーム対称性を有し、前記処理回路システムは、更に、整合した端末機器の受信ビームに対応する端末機器側発射ビームを使用して前記基地局へランダムアクセスプリアンブルを送信する、ように配置される
請求項８に記載の電子機器。
【請求項１０】
前記処理回路システムは、更に、前記ランダムアクセスプリアンブルを送信した後の予定時間内に、基地局のランダムアクセスレスポンスを受信していない場合に、前記端末機器側発射ビームの周囲の発射ビームを使用してランダムアクセスプリアンブルを再送する、ように配置される
請求項９に記載の電子機器。
【請求項１１】
前記無線通信システムは５Ｇ  ＮＲシステムであり、前記基地局はｇＮＢであり、前記端末機器は、ビームフォーミングによって信号を発射するように複数のアンテナを含む
請求項１から５又は請求項８から１０のいずれか一項に記載の電子機器。
【請求項１２】
無線通信システムにおける端末機器側に用いられる方法であって、
前記無線通信システムにおける基地局から、主同期信号、副同期信号及びＰＢＣＨをそれぞれに含む複数の同期信号ブロックを受信して、下りリンク同期を行い、前記複数の同期信号ブロックは、異なる基地局側発射ビームによって送信され、且つ同期信号ブロックは、基地局が該同期信号ブロックを送信するために使用される発射ビーム情報を指示すること、
受信品質に基づいて前記端末機器と整合した同期信号ブロックを確定すること、
前記基地局へランダムアクセスプリアンブルを送信してランダムアクセス過程を行い、そのうち、前記ランダムアクセスプリアンブルは、前記同期信号ブロックの内容に基づいて演算された発射ビームと前記端末機器側受信ビームとの相関度が所定の閾値以上である発射ビーム情報であって、基地局の該整合した同期信号ブロックの送信に使用される発射ビーム情報を指示し、これにより、前記基地局がビーム管理を行うこと、
を含み、
受信された発射ビームに載置された同期信号ブロックにおける主同期信号系列と、予め記憶された主同期信号系列集合における主同期信号系列との相関演算を行い、発射ビームに載置された主同期信号系列の相関程度に基づいて、整合した発射ビーム及び整合した主同期信号系列を確定し、
前記整合した発射ビームに載置された同期信号ブロックにおける副同期信号系列と副同期信号系列集合における副同期信号系列との相関演算を行うことで、整合した副同期信号系列を確定する方法。
【請求項１３】
無線通信システムにおける基地局側に用いられる電子機器であって、
異なる基地局側発射ビームを利用して、前記無線通信システムにおける端末機器へ、主同期信号、副同期信号及びＰＢＣＨをそれぞれに含む複数の同期信号ブロックを発射して、下りリンク同期に使用され、そのうち、同期信号ブロックは、受信された発射ビームに載置された同期信号ブロックにおける主同期信号系列と、予め記憶された主同期信号系列集合における主同期信号系列とから演算された相関程度に基づいて確定された主同期信号系列と、当該相関程度に基づいて確定された発射ビームに載置された同期信号ブロックにおける副同期信号系列と副同期信号系列集合における副同期信号系列との相関演算に基づいて確定された副同期信号系列とを含み、当該同期信号ブロックは、基地局が該同期信号ブロックを送信するために使用される発射ビーム情報を指示し、
端末機器からのランダムアクセスプリアンブルを受信して端末機器のランダムアクセス過程を補助し、そのうち、前記ランダムアクセスプリアンブルは、前記同期信号ブロックの内容に基づいて演算された発射ビームと前記端末機器側受信ビームとの相関度が所定の閾値以上である発射ビーム情報であって、該端末機器と整合した同期信号ブロックの発射ビーム情報を指示し、
前記ランダムアクセスプリアンブルに基づいて、前記端末機器の下りリンク転送に適用する基地局側発射ビームを確定して、ビーム管理を行う、
ように配置される処理回路システムを含む電子機器。
【請求項１４】
前記同期信号ブロックは、同期信号ブロックにおける参照信号系列自身によって、基地局の該同期信号ブロックの送信に使用される発射ビーム情報を指示し、前記処理回路システムは、更に、前記複数の同期信号ブロックに異なる参照信号系列を設置して異なる発射ビーム情報を指示する、ように配置される
請求項１３に記載の電子機器。
【請求項１５】
前記同期信号ブロックは、追加的な情報ビットを更に含み、該追加的な情報ビットによって、基地局の該同期信号ブロックの送信に使用される発射ビーム情報を指示し、前記処理回路システムは、更に、前記複数の同期信号ブロックに異なる追加的な情報ビットを設置して異なる発射ビーム情報を指示する、ように配置される
請求項１３に記載の電子機器。
【請求項１６】
前記ランダムアクセスプリアンブルのプリアンブル系列は、該端末機器と整合した同期信号ブロックの発射ビーム情報を指示し、
複数のプリアンブル系列は、同一の同期信号ブロックの発射ビーム情報を指示するために用いられ、前記基地局は、前記端末機器へシグナリングを送信して、複数のプリアンブル系列と同期信号ブロックの発射ビームとの対応関係を指示する、
請求項１３に記載の電子機器。
【請求項１７】
前記処理回路システムは、更に、前記端末機器へランダムアクセス配置情報を含むラジオリソース制御シグナリングを送信し、前記ランダムアクセス配置情報は、基地局側ビームと複数のランダムアクセスタイミングとの対応関係を含み、前記端末機器は、前記ランダムアクセス配置情報に基づいて、特定のランダムアクセスタイミングを選択してランダムアクセスプリアンブルを発射して、該整合した同期信号ブロックの発射ビーム情報を指示する、ように配置される
請求項１３から１６のいずれか一項に記載の電子機器。
【請求項１８】
前記処理回路システムは、更に、前記整合した同期信号ブロックに対応する発射ビーム方向上にＣＳＩ−ＲＳビームを発射し、前記端末機器から該端末機器と整合したＣＳＩ−ＲＳビーム情報フィードバックを受信する、ように配置される
請求項１３から１６のいずれか一項に記載の電子機器。
【請求項１９】
前記無線通信システムは５Ｇ  ＮＲシステムであり、前記基地局はｇＮＢであり、前記基地局は、ビームフォーミングによって信号を発射するように複数のアンテナを更に含む
請求項１３から１７のいずれか一項に記載の電子機器。
【請求項２０】
無線通信システムの基地局側に用いられる方法であって、
異なる基地局側発射ビームを利用して、前記無線通信システムにおける端末機器へ、主同期信号、副同期信号及びＰＢＣＨをそれぞれに含む複数の同期信号ブロックを発射して、下りリンク同期に使用され、そのうち、同期信号ブロックは、受信された発射ビームに載置された同期信号ブロックにおける主同期信号系列と、予め記憶された主同期信号系列集合における主同期信号系列とから演算された相関程度に基づいて確定された主同期信号系列と、当該相関程度に基づいて確定された整合した発射ビームに載置された同期信号ブロックにおける副同期信号系列と副同期信号系列集合における副同期信号系列との相関演算に基づいて確定された副同期信号系列とを含み、当該同期信号ブロックは、基地局が該同期信号ブロックを送信するために使用される発射ビーム情報を指示すること、
端末機器からのランダムアクセスプリアンブルを受信して、端末機器のランダムアクセス過程を補助し、そのうち、前記ランダムアクセスプリアンブルは、前記同期信号ブロックの内容に基づいて演算された発射ビームと前記端末機器側受信ビームとの相関度が所定の閾値以上である発射ビーム情報であって、該端末機器と整合した同期信号ブロックの発射ビーム情報を指示すること、
前記ランダムアクセスプリアンブルに基づいて、前記端末機器の下りリンク転送に適用する基地局側発射ビームを確定して、ビーム管理を行うこと、
を含む方法。
【発明の詳細な説明】
【技術分野】
【０００１】
本開示は一般に無線通信システムに関するものであり、且つ具体的にビームフォーミングに相関するビーム管理技術に関するものである。
【背景技術】
【０００２】
近年、モバイルインターネット技術の発展と広い応用に従って、無線通信は、人々の音声とデータ通信需要を大幅に満足している。更に高い通信品質と容量を提供するために、無線通信システムは異なるレベルの様々な技術、例えばビームフォーミング（Beamforming）技術を採用する。ビームフォーミングは、アンテナ発射及び／又は受信の指向性を増加することで、ビームフォーミング利得を提供して無線信号の損失を補償することができる。将来の無線通信システム（例えばＮＲ（New  Radio）システムという５Ｇシステム）において、基地局と端末機器側のアンテナポートの数が更に向上する。例えば、基地局側のアンテナポート数が数百以上となるかもしれないことで、大規模アンテナ（Massive  MIMO）システムを構成する。このように、大規模アンテナシステムにおいて、ビームフォーミングの応用空間が更に広くなる。
【０００３】
現在、ビームフォーミングは、基地局と端末機器との間のデータの送受信過程に用いられる。しかしながら、端末機器と基地局との間の初期接続／同期（例えば、基地局が同期信号（Synchronization  Signal,  SS）を送信し、端末機器がランダムアクセス信号を基地局まで送信することを含む）は、端末機器が基地局と適当な通信が実行可能な最初のステップである。従って、ビームフォーミング技術を端末機器と基地局との間の初期接続／同期に用いることができ、例えばビームフォーミング技術を同期信号の送受信過程及びランダムアクセス信号の送受信過程に用いることが考えられる。
【発明の概要】
【０００４】
本開示の内容の各側面は、無線通信システムのビームフォーミング技術におけるビーム管理に関するものである。
【０００５】
本開示の一つの側面は、無線通信システムの基地局側に用いられる電子機器に関するものである。一つの実施例によると、該電子機器は、処理回路を含むことができる。該処理回路は、発射ビーム配置に基づいて、異なる発射ビームを利用して端末機器に同期信号を繰り返し送信するように配置されることができ、同期信号は、該同期信号を送信するために使用される発射ビーム情報を指示することができる。該処理回路は、更に、端末機器からのフィードバックを獲得するように配置されることができ、該フィードバックは、発射ビームの管理に用いられるように発射ビーム情報を含むことができる。
【０００６】
本開示の他の一つの側面は、無線通信システムの端末機器側に用いられる電子機器に関するものである。一つの実施例によると、該電子機器は処理回路を含むことができる。該処理回路は、無線通信システムの基地局側の発射ビーム配置に基づいて同期信号を受信するように配置されることができ、同期信号は、基地局が該同期信号を送信するために使用される発射ビーム情報を指示することができる。該処理回路は、更に、フィードバックを基地局に提供するように配置されることができ、該フィードバックは、基地局により発射ビームの管理に用いるように発射ビーム情報を含むことができる。
【０００７】
本開示の他の一つの側面は、無線通信方法に関するものである。一つの実施例において、該方法は、発射ビーム配置に基づいて、異なる発射ビームを利用して端末機器に同期信号を繰り返し送信し、同期信号は、該同期信号を送信するために使用される発射ビーム情報を指示することができること、端末機器からのフィードバックを獲得し、該フィードバックは、発射ビームの管理に用いられるように発射ビーム情報を含むこと、を含むことができる。
【０００８】
本開示の他の一つの側面は、他の一つの無線通信方法に関するものである。一つの実施例において、該方法は、無線通信システムの基地局側の発射ビーム配置に基づいて、同期信号を受信し、同期信号は、基地局が該同期信号を送信するために使用される発射ビーム情報を指示することができること、フィードバックを基地局に提供し、該フィードバックは、前記基地局により発射ビームの管理に用いるように発射ビーム情報を含むこと、を含むことができる。
【０００９】
本開示の他の一つの側面は、無線通信システムの基地局側に用いられる電子機器に関するものである。一つの実施例によると、該電子機器は、処理回路を含むことができる。該処理回路は、他の基地局からの発射ビーム配置を受信するように配置されることができ、該他の基地局は、発射ビーム配置に基づいて端末機器へ同期信号を送信することができる。該処理回路は、更に、端末機器へ発射ビーム配置を送信するように配置されることができる。
【００１０】
本開示の他の一つの側面は、無線通信システムの端末機器側に用いられる電子機器に関するものである。一つの実施例によると、該電子機器は、処理回路を含む。該処理回路は、ランダムアクセス配置情報を獲得し、ランダムアクセス配置情報に基づいてランダムアクセスプリアンブルを送信して、下りリンクにおいて端末機器側の一つ又は複数の受信ビームとペアリングした基地局側の一つ又は複数の発射ビームを指示する、ように配置されることができる。
【００１１】
本開示の他の一つの側面は、無線通信システムの基地局側に用いられる電子機器に関するものである。一つの実施例によると、該電子機器は、処理回路を含むことができる。該処理回路は、ランダムアクセス配置情報を送信し、端末機器から送信されたランダムアクセスプリアンブルを受信して、下りリンクにおいて端末機器側の一つ又は複数の受信ビームとペアリングした基地局側の一つ又は複数の発射ビームを獲得する、ように配置されることができる。
【００１２】
本開示の他の一つの側面は、無線通信方法に関するものである。一つの実施例において、該方法は、ランダムアクセス配置情報を獲得すること、ランダムアクセス配置情報に基づいてランダムアクセスプリアンブルを送信して、下りリンクにおいて端末機器側の一つ又は複数の受信ビームとペアリングした基地局側の一つ又は複数の発射ビームを指示すること、を含むことができる。
【００１３】
本開示の他の一つの側面は、他の一つの無線通信方法に関するものである。一つの実施例において、該方法は、ランダムアクセス配置情報を送信すること、端末機器から送信されたランダムアクセスプリアンブルを受信して、下りリンクにおいて端末機器側の一つ又は複数の受信ビームとペアリングした基地局側の一つ又は複数の発射ビームを獲得すること、を含むことができる。
【００１４】
本開示の他の一つの側面は、一つ又は複数の指令を記憶しているコンピュータ読み取り可能な記憶媒体に関するものである。幾つかの実施例において、該一つ又は複数の指令が電子機器の一つ又は複数のプロセッサによって実行される時、電子機器に本開示の様々な実施例による方法を実行させることができる。
本開示の他の一つの側面は、本開示の実施例による各方法の操作を実行する部材又は手段を含む様々な装置に関するものである。
【００１５】
上記概要は、本明細書に記載された主題の様々な態様の基本的な理解を提供するために、いくつかの例示的な実施形態を要約するために提供される。従って、上記の特徴は単なる例であり、決して本明細書に記載される主題の範囲または要旨を限定するものとして解釈されるべきではない。本明細書に記載される主題の他の特徴、態様、および利点は、以下の図面と併せて説明する発明を実施するための形態から明らかになるであろう。
【図面の簡単な説明】
【００１６】
本開示の内容のより良い理解は、図面と併せて実施形態の以下の具体的な説明を考慮することによって得ることができる。同じ参照番号は、図面全体にわたって同じまたは類似の部件を指すために使用される。各図面は、以下の具体的な説明と共に、明細書に含まれ、明細書の一部を形成して、本発明の実施形態を例示し説明し、本発明の原理および利点を説明することを意図している。その中に、
【００１７】
【図１】図１は、無線通信システムにおける例示的なセル同期とランダムアクセス過程を示す。
【図２Ａ】図２Ａから図２Ｄは、ビームフォーミング技術における例示的なビームスイープ過程を示す。
【図２Ｂ】図２Ａから図２Ｄは、ビームフォーミング技術における例示的なビームスイープ過程を示す。
【図２Ｃ】図２Ａから図２Ｄは、ビームフォーミング技術における例示的なビームスイープ過程を示す。
【図２Ｄ】図２Ａから図２Ｄは、ビームフォーミング技術における例示的なビームスイープ過程を示す。
【図３Ａ】図３Ａは、本開示の実施例による基地局側に用いられる例示的な電子機器を示す。
【図３Ｂ】図３Ｂは、本開示の実施例による端末機器側に用いられる例示的な電子機器を示す。
【図４Ａ】図４Ａから図４Ｄは、本開示の実施例による同期信号に用いられる例示的な時間領域・周波数領域リソースを示す。
【図４Ｂ】図４Ａから図４Ｄは、本開示の実施例による同期信号に用いられる例示的な時間領域・周波数領域リソースを示す。
【図４Ｃ】図４Ａから図４Ｄは、本開示の実施例による同期信号に用いられる例示的な時間領域・周波数領域リソースを示す。
【図４Ｄ】図４Ａから図４Ｄは、本開示の実施例による同期信号に用いられる例示的な時間領域・周波数領域リソースを示す。
【図５Ａ】図５Ａと図５Ｂは、本開示の実施例による例示的な同期信号時間ウィンドウを示す。
【図５Ｂ】図５Ａと図５Ｂは、本開示の実施例による例示的な同期信号時間ウィンドウを示す。
【図６Ａ】図６Ａから図６Ｃは、本開示の実施例による基地局側の例示的な発射ビーム配置を示す。
【図６Ｂ】図６Ａから図６Ｃは、本開示の実施例による基地局側の例示的な発射ビーム配置を示す。
【図６Ｃ】図６Ａから図６Ｃは、本開示の実施例による基地局側の例示的な発射ビーム配置を示す。
【図７Ａ】図７Ａから図７Ｄは、本開示の実施例による発射ビームと同期信号時間ウィンドウとの間の例示的な対応関係を示す。
【図７Ｂ】図７Ａから図７Ｄは、本開示の実施例による発射ビームと同期信号時間ウィンドウとの間の例示的な対応関係を示す。
【図７Ｃ】図７Ａから図７Ｄは、本開示の実施例による発射ビームと同期信号時間ウィンドウとの間の例示的な対応関係を示す。
【図７Ｄ】図７Ａから図７Ｄは、本開示の実施例による発射ビームと同期信号時間ウィンドウとの間の例示的な対応関係を示す。
【図８Ａ】図８Ａと図８Ｂは、本開示の実施例による基地局側の特定発射ビーム配置における端末機器側の例示的な受信ビーム配列を示す。
【図８Ｂ】図８Ａと図８Ｂは、本開示の実施例による基地局側の特定発射ビーム配置における端末機器側の例示的な受信ビーム配列を示す。
【図９】図９は、本開示の実施例による副ノード添加の例示的な操作を示す。
【図１０】図１０は、本開示の実施例によるビーム検出の例示的な性能を示す。
【図１１Ａ】図１１Ａと図１１Ｂは、本開示の実施例による基地局側発射ビーム情報を指示する例示的な方式を示す。
【図１１Ｂ】図１１Ａと図１１Ｂは、本開示の実施例による基地局側発射ビーム情報を指示する例示的な方式を示す。
【図１２Ａ】図１２Ａと図１２Ｂは、本開示の実施例による通信に用いられる例示的な方法を示す。
【図１２Ｂ】図１２Ａと図１２Ｂは、本開示の実施例による通信に用いられる例示的な方法を示す。
【図１３】図１３は、本開示の実施例による基地局側に用いられる例示的な電子機器を示す。
【図１４】図１４は、本開示の実施例による例示的な等級付けの発射ビームスイープ処理のフローを示す。
【図１５Ａ】図１５Ａは、本開示の実施例による端末機器側に用いられる例示的な電子機器を示す。
【図１５Ｂ】図１５Ｂは、本開示の実施例による基地局側に用いられる例示的な電子機器を示す。
【図１６】図１６は、本開示の実施例による例示的なランダムアクセス時間ウィンドウを示す。
【図１７Ａ】図１７Ａと図１７Ｂは、本開示の実施例による基地局側の例示的な受信ビーム配置を示す。
【図１７Ｂ】図１７Ａと図１７Ｂは、本開示の実施例による基地局側の例示的な受信ビーム配置を示す。
【図１８】図１８は、本開示の実施例による基地局側受信ビームとランダムアクセス時間ウィンドウとの間の例示的な対応関係を示す。
【図１９Ａ】図１９Ａと図１９Ｂは、本開示の実施例による基地局側の特定受信ビーム配置における端末機器側の例示的な発射ビーム配列を示す。
【図１９Ｂ】図１９Ａと図１９Ｂは、本開示の実施例による基地局側の特定受信ビーム配置における端末機器側の例示的な発射ビーム配列を示す。
【図２０Ａ】図２０Ａと２０Ｂは、本開示の実施例によるランダムアクセスプリアンブルを送信する例示的な方法を示す。
【図２０Ｂ】図２０Ａと２０Ｂは、本開示の実施例によるランダムアクセスプリアンブルを送信する例示的な方法を示す。
【図２１Ａ】図２１Ａは、本開示の実施例による端末機器がランダムアクセスプリアンブルを送信する例示的な方法を示す。
【図２１Ｂ】図２１Ｂは、本開示の実施例による基地局がランダムアクセスプリアンブルを受信する例示的な方法を示す。
【図２２】図２２は、本開示の実施例によるランダムアクセスプリアンブルを再送する例示的な方法を示す。
【図２３Ａ】図２３Ａと図２３Ｂは、本開示の実施例による通信に用いられる例示的な方法を示す。
【図２３Ｂ】図２３Ａと図２３Ｂは、本開示の実施例による通信に用いられる例示的な方法を示す。
【図２４】図２４は、本開示の実施例において採用可能な情報処理機器であるパソコンの例示的な構成のブロック図である。
【図２５】図２５は、本開示の技術を応用することができるｇＮＢの例示的な配置の第一の例を示すブロック図である。
【図２６】図２６は、本開示の技術を応用することができるｇＮＢの例示的な配置の第二の例を示すブロック図である。
【図２７】図２７は、本開示の技術を応用することができるスマートフォンの例示的な配置の例を示すブロック図である。
【図２８】図２８は、本開示の技術を応用することができるカーナビ機器の例示的な配置の例を示すブロック図である。
【００１８】
本開示に記載された実施形態は、修正および代替形態を受け入れることができるが、その具体的な実施形態は、添付の図面に例として示され、且つ本明細書で詳細に説明される。しかしながら、添付の図面及びそれに対する詳細な説明は、実施形態を本開示の特定の形態に限定されるものではなく、逆に特許請求の範囲の要旨および範囲内に入るすべての変更、等同物、および代替形態を含むことを理解されたい。
【発明を実施するための形態】
【００１９】
以下、添付図面を参照して、本発明の実施形態を説明する。明瞭さと簡潔さのために、実際の実施形態のすべての特徴が明細書に説明されているわけではない。しかしながら、そのような実際の実施形態の開発において、開発者の特定の目的を達成するためには、実施形態に固有の決定が行われなければならないことは明らかである。例えば、システム及びビジネスに関連する制限を遵守し、これらの制限は、実施形態によって異なる場合がある。また、開発作業はより複雑で時間がかかるが、このような開発作業は、本開示から恩恵を受ける当業者にとって、日常的な仕事に過ぎないことも明らかである。
【００２０】
不必要な詳細によって本開示を不明瞭にすることを避けるために、本開示による形態に密接に関連する機器構成および／または動作ステップのみが添付図面に示され、本開示に関係しない他の詳細は省略される。
【００２１】
（基地局と端末機器との初期接続・同期過程）
まず、図１に、無線通信システムにおける例示的な基地局と端末機器との初期接続・同期過程を示し、セル同期とランダムアクセス過程を含む。一般的に、無線通信システムは複数の基地局を含むことができ、基地局毎は相応カバー範囲（例えば、セル）内の幾つかの端末機器をサービスすることができる。図１に、端末機器１１０と基地局１２０との間の例示的なセル同期とランダムアクセス過程を示し、端末機器１１０は基地局１２０がサービスする幾つかの端末機器の一つである。該過程は無線通信システムにおけるいずれかの端末機器に適用する。
【００２２】
端末機器１１０は、オープニング又は基地局１２０に切り替える時、まずセル検索を行う必要があり、セル検索の目的の一つは、端末機器１１０に基地局１２０のセルフレームタイミングを獲得させ、下りリンクフレームの開始位置を得ることである。一方、基地局１２０は、端末機器１１０にセルフレームタイミングを獲得させることができるように、同期信号１０１を送信し、基地局１２０は例えば定期的に同期信号を送信することができる。一般的に、同期信号において同期系列を含むことができ、該同期系列が選択される同期系列集合が、基地局と端末機器にとって共に分かっている。例えばＬＴＥシステムにおいて、同期信号は、主同期信号（Primary  Synchronization  Signal,  PSS）と副同期信号（Secondary  Synchronization  Signal,  SSS）を含む。一つの例において、主同期信号は、長さが６３であるＺａｄｏｆｆ−Ｃｈｕ系列であることができ、副同期信号は、長さが６２である系列であり、二つの長さが３１であるＭ系列をカスコード接続して得ることができる。更に、同期信号は一定の時間周期又は時間モードで送信されることができ、例えば、同期信号は下りリンクフレームにおける固定位置（例えば固定のサブフレーム、タイムスロット及び符号位置）において送信されることができる。このように、端末機器１１０は、キャリア中心において、例えばシングルのサブフレーム内に受信された信号と知られている同期系列集合における同期系列に対して一つずつ相関演算を行うことができ、相関性のピークの位置は、同期信号の下りリンクフレームにおける位置に対応し、これにより、端末機器１１０は、下りリンクセルの同期を獲得することができる。
【００２３】
下りリンクセルの同期を獲得した後、端末機器１１０は、下りリンクフレームにおける適当な位置にセルのシステム情報を受信することができる。システム情報は、基地局１２０で報知用のチャネル（例えば報知チャネルＰＢＣＨ、共有チャネルＰＤＳＣＨ等）によって周期報知されることができ、且つ端末機器１１０が基地局１２０にアクセスするために必要な情報、例えばランダムアクセスに関する情報を含むことができる。
【００２４】
その後、上りリンクセル同期を獲得するために、端末機器１１０はランダムアクセス過程を行う必要がある。例示的なランダムアクセス過程操作は以下のようである。１０２において、端末機器１１０は、基地局１２０へ（例えばＭＳＧ−１に含む）ランダムアクセスプリアンブルを送信することで基地局１２０へ自分のアクセス行動を通知することができる。ランダムアクセスプリアンブルの送信は、基地局１２０に端末機器の上りリンクのタイミングアドバンス（Timing  Advance）を推定させることができる。１０３において、基地局１２０は、端末機器１１０へ（例えばＭＳＧ−２に含む）ランダムアクセスレスポンスを送信することで端末機器１１０へ上記タイミングアドバンスを通知ことができる。端末機器１１０は、該タイミングアドバンスによって上りリンクセル同期を実現することができる。ランダムアクセスレスポンスにおいては、上りリンクリソースの情報を含んでも良く、端末機器１１０は、以下の操作１０４において該上りリンクリソースを使用することができる。競合型のランダムアクセス過程について、１０４において、端末機器１１０は、上記スケジューリングされた上りリンクリソースによって端末機器標識及び可能な他の情報（例えばＭＳＧ−３に含む）を送信することができる。基地局１２０は、端末機器標識によって競合解決結果を確定することができる。１０５において、基地局１２０は、端末機器１１０に該競合解決結果を通知することができる（例えばＭＳＧ−４に含む）。この時、競合が成功したら、端末機器１１０の基地局１２０へのアクセスが成功し、該ランダムアクセス過程が終了し、そうでなければ、端末機器１１０は、１０２から１０５のランダムアクセス過程を繰り返し操作する必要がある。一つの例において、ランダムアクセス過程が成功した後、端末機器と基地局との間の初期接続・同期過程が終了したと考えられ、端末機器は基地局と後続の通信を行うことができる。
【００２５】
（ビームフォーミング及びビームスイープ概述）
ビームフォーミングは、常にアンテナ発射及び／又は受信の強い指向性を考え、各発射ビーム及び／又は受信ビームを特定の方向指向とビームのカバー範囲に限定され、各ビームのカバー範囲が全幅ビームより狭く、ビームの利得が増加する。これらの発射ビーム及び／又は受信ビームは、近似に全幅ビームに組み合うことができる。全幅のビームとは、ビームフォーミングを使用しない場合におけるビームを示し、即ちそのビームの幅はビームフォーミング処理によって狭くなっていない。例えば、オムニアンテナのビームは全幅のビームであると考えられる。物理的に実現する幾つかの実例において、発射端の通信機器は複数のＲＦリンクを有し、ＲＦリンク毎が複数のアンテナ及びその移相器に接続され、ＲＦリンク上の信号毎は、異なる位相を有す複数のアンテナによって空中に重畳に発射されることで、発射ビームが形成される。発射端の通信機器の制御手段は、目標発射ビーム方向に基づいて対応する複数のアンテナの位相値を確定し、相応する移相器を配置することで、発射ビームフォーミングを制御する。相応に、受信端の通信機器は、一つ又は複数のＲＦリンクを有し、ＲＦリンク毎は複数のアンテナ及びその移相器に接続され、空中ラジオ信号は、異なる位相を有す複数のアンテナによってＲＦリンクに重畳に受信されることで、受信ビームが形成される。受信端の通信機器の制御手段は、目標受信ビーム方向に基づいて対応する複数のアンテナの位相値を確定し、相応する移相器を配置することで、受信ビームフォーミングを制御する。幾つかの例において、通信機器の制御手段は、予定のコードブックに基づいてＲＦリンク毎の複数のアンテナの移相器を配置し、コードブックは複数の符号語を含み、符号語毎は一つのビーム方向に対応し、一つの種類の移相器の位相組み合いを指示する。
【００２６】
ビームフォーミングにおいて、アンテナ発射及び／又は受信の指向性が強いので、下りリンク又は上りリンクにおける整合した発射と受信ビームが必要し、ビームフォーミング利得の取得を保証する。従って、下りリンク又は上りリンクにおける、このような整合した発射と受信ビームを收集、維持することができ、即ちビーム管理を行うことができる。ビーム管理は、二つの重要な側面に関するものであり、即ちビームスイープとスキャン結果のインタラクションを行うことができる。ビームスイープは、発射ビームスイープと受信ビームスイープを含むことができ、それぞれに、予定方式で一定の時間内に異なるビームを発射及び受信して一定の空間区域をカーバすることで、ある方位空間区域に適応する発射と受信ビームを探す。下りリンクを例として、一つの端末機器が常に基地局の特定方位に位置するので、基地局側に常に一つの（又は複数の）特定の発射ビームだけが該端末機器との通信に適している。端末機器側にも常に該特定の発射ビームに配合した一つの（又は複数の）受信ビームが存在する。端末機器は、スキャン結果報告によってそれと配合した基地局側の特定発射ビームを基地局に報告することができる。同期信号の送受信において、一対の整合した発射と受信ビームとは、同期信号を受信する時の同期系列相関演算の相関性結果が一定閾値レベルに合致する発射と受信ビームのペアであることができる。後続のデータの送受信において、該一対の発射と受信ビームに経由の通信品質（例えば受信信号の強度（例えばRSRP）、信号対干渉雑音比（例えばCQI）、ビット誤り率（例えばBER、BLER）等）も一定の通信品質需要に合致することができることを理解することができる。
【００２７】
以下、図２Ａから図２Ｄを参照してビームフォーミング技術におけるビームスイープを説明する。ビームフォーミングにおいて、発射端は、複数の発射ビームによって発射ビームスイープを行うことができる。図２Ａの例において、発射端に４個の発射ビームが設置され、図２Ｂの例において、発射端に３個の発射ビームが設置される。配置又は応用需要に応じて、受信端は受信ビームフォーミングを使用してもよく、使用しなくても良い。図２Ａの例において、受信端は、受信ビームフォーミングを使用し、３個の受信ビームによって受信ビームスイープを行う。図２Ｂの例において、受信端は、受信ビームフォーミングを使用しないで、１個の全幅の受信ビームだけが設置される。ビームフォーミングにおいて、発射端及び／又は受信端は、等級付けの発射ビーム、例えば第一の等級の発射ビーム（粗発射ビームとも呼ばれる）と第二の等級の発射ビーム（細発射ビームとも呼ばれる）を設置しても良い。図２Ｃの例において、発射端に３個の第一の等級の発射ビーム（即ちTX_B1乃至TX_B3）が設置され、第一の等級の発射ビーム毎に、２個の第二の等級の発射ビーム（例えばTX_B1の二つの細発射ビームはTX_B1,1とTX_B1,2であり、残りは似ている）が設置されている。図２Ｄの例において、発射端と受信端の両方も等級付けの発射ビームを設置している。図２Ｄにおいて、発射端の発射ビームは図２Ｃと類似しており、受信端に３個の第一の等級の受信ビーム（即ちRX_B1乃至RX_B3)が設置され、第一の等級の受信ビーム毎に２個の第二の等級の受信ビーム（例えばRX_B1の二つの細発射ビームはRX_B1,1とRX_B1,2であり、残りは似ている）が設置されている。図２Ｃと図２Ｄに示すように、粗発射ビームのビーム幅は細発射ビームより広く、細発射ビームの利得は粗発射ビームより大きいことができる。
【００２８】
ビームスイープ過程において、発射端は、発射ビームを一つずつ送信することができ（即ち発射ビームスイープ）、例えば、受信端の状況を考えて、各発射ビームは一回又は複数回繰り返し発射することができる。受信端は、発射ビーム毎の送信に、受信ビームを使用して一つずつ受信（即ち受信ビームスイープ）を行うことで、整合した発射と受信ビームのペアを確定することができる。例えば、図２Ａの例において、発射端は、まず発射ビームTX_B1を繰り返し使用して３回送信することができる。相応に、受信端は、受信ビームRX_B1からRX_B3を一つずつ使用して対応する１回の送信を受信し、相応する同期系列相関性を得ることができる。次に、発射端は、発射ビームTX_B2を繰り返し使用して３回送信することができ、受信端は、受信ビームRX_B1からRX_B3を一つずつ使用して対応する１回の送信を受信し、相応する同期系列相関性を得ることができる。発射端が発射ビームTX_B3、TX_B4を繰り返し使用して送信を行った後、受信端は、得られた同期系列相関性に基づいて整合した発射と受信ビームのペアを確定することができる。このように、発射端と受信端との間の後続通信は、該発射と受信ビームのペアを使用して行うことができる。上記の例において、発射ビーム毎の繰り返し送信の回数は、受信ビームの数の整数倍であることができる。受信端が複数のＲＦリンクを有すことで複数の受信ビームを同時に使用して受信を行う場合に、発射端は必ず発射ビーム毎を繰り返し発射する必要がなく、単に順番にTX_B1〜TX_B4を発射してよい。図２Ｂは受信端が受信ビームフォーミングを使用しない例である。図２Ｂにおいて、発射端の送信毎について、端末機器が全幅の受信ビームを使用し受信を行って、相応する同期系列相関性を確定することで、全幅受信ビームと整合した発射ビームを確定する。このように、発射端と受信端との間の後続通信において、発射端は、確定された発射ビームを使用して通信を行う。
【００２９】
図２Ｃにおける等級付けの発射ビームの場合に、まず整合した第一の等級の発射ビームを確定し、次に該整合した第一の等級の発射ビームにおいて、整合した第二の等級の発射ビームを確定することができる。例えば、発射端は、まず第一の等級の発射ビームスイープを行うことができ、受信端は、上記と類似的な方式でそれと整合した第一の等級の発射ビームを確定することができる。発射端が、該整合した第一の等級の発射ビームにおける第二の等級の発射ビームによってビームスイープを行う時、受信端は、類似にそれと整合した第二の等級の発射ビームを確定することができる。これにより、最終的に第二の等級の発射ビーム及び整合した受信ビームを、整合した発射と受信ビームのペアとして確定して、後続の通信に使用する。例示的な実現方式によると、第二の等級の発射ビームがビームスイープを行う時、受信端は、全ての受信ビームを利用することではなく、直接に第一の等級の発射ビームがスキャンを行う時に確定された整合した受信ビームを受信ビームとして利用して、受信と確定を行うことで、ビームスイープコストを低下する。
【００３０】
図２Ｄにおける発射ビームと受信ビームが共に等級付けを行う場合に、ビームスイープにおいて、発射端は、まず第一の等級の発射ビームスイープを行うことができ、受信端は、対応する第一の等級の受信ビームを利用して受信を行うことができることで、上記と類似的な方式で整合した第一の等級の発射ビームと第一の等級の受信ビームを確定する。発射端が該整合した第一の等級の発射ビームにおける第二の等級の発射ビームによってビームスイープを行う時、受信端は、対応する整合した第一の等級の受信ビームにおける第二の等級の受信ビームを利用して受信を行うことができることで、上記と類似的な方式で整合した第二の等級の発射ビームと第二の等級の受信ビームを、整合した発射と受信ビームのペアとして確定して、後続の通信に使用する。
【００３１】
理解されるべきことは、下りリンク通信において、発射端は基地局１２０に対応することができ、受信端は端末機器１１０に対応することができる。上りリンク通信において、発射端は端末機器１１０に対応することができ、受信端は基地局１２０に対応することができる。本開示の実施例において、上りリンクにおける整合した発射及び受信ビームと、下りリンクにおける整合した受信及び発射ビームとが対応（例えば同じ）する場合に、上り下りリンクにおける発射と受信ビームのペアが対称性を有すと見ることができる。該対称性とは、端末機器１１０との整合にとって、基地局１２０の発射ビームと受信ビームとが対応しており、基地局側の整合した発射ビーム（又は受信ビーム）に基づいて、整合した対応受信ビーム（又は発射ビーム）を確定することができる。基地局１２０との整合にとって、端末機器１１０側の場合が類似する。
【００３２】
（ビームフォーミング技術の同期信号送受信における応用）
以下、ビームフォーミング技術の上記同期信号の送受信における応用を簡単に説明する。無線通信分野において、ビームフォーミング技術は既にデータ信号を送信するために用いられる。本開示の実施例によると、ビームフォーミングを使用して同期信号を送信することができる。例えば、基地局１２０は発射ビームフォーミングを使用して同期信号を送信することで、同期信号の損失を補償して端末機器１１０が下りリンク同期及びランダムアクセス過程を適合に行うことを確保することができる。本開示による技術案は、数百ＭＨｚから数ＧＨｚ範囲の伝統ＲＦ通信バンドを含む様々な通信バンドに使用することができる。無線通信システムバンドの向上（例えば２６ＧＨｚ、６０ＧＨｚ又は更に高いバンドを使用すること）に従って、無線チャネルにおいて低いバンド（例えば２ＧＨｚ）より大きい経路損失、大気吸収損失等の悪影響が発生する。従って、本開示による技術案は、高バンド（例えばミリ波）通信についても同様に適用しており、ひいては更に重要である。
【００３３】
本開示の幾つかの実施例において、同期信号の送信は、該同期信号を送信するために使用される発射ビーム情報を指示することができ、これにより、端末機器は、同期信号を受信することで該発射ビーム情報を獲得して、後続のデータ転送のビームスイープを単純化、迅速化することができる。本開示の幾つかの実施例によると、同期信号は、基地局によって発射ビーム配置に基づいて異なる発射ビームを利用して端末機器を含む複数の端末機器へ繰り返し送信されることができ、且つ、例えば本願の以下に説明するように、同期信号は該同期信号を送信するために使用される発射ビーム情報を含むことができる。例えば、ビームフォーミング技術を使用して同期信号を送信する幾つかの実施例において、例えば本願の後の具体的に説明するように、基地局１２０が複数の異なる発射ビームで同期信号を繰り返し送信することを考えて、下りリンクフレームにおける同期信号時間ウィンドウを再び設計する。発射ビームスイープにおいて複数の発射ビームの繰り返しモードは発射ビーム配置によって表すことができ、該発射ビーム配置に基づいて同期信号を送信することができる。
【００３４】
端末機器は様々な方式で同期信号を受信することができる。同期信号を受信する時、端末機器は少なくとも端末機器と整合した基地局の発射ビームを確定し、且つ本開示に以下に説明する方式及びいずれかの他の方式を含むいずれかの適当な方式で該整合した発射ビームを基地局にフィードバックすることができる。少なくとも該整合した基地局の発射ビームは基地局と端末機器との間の後続通信（ランダムアクセス過程及びデータ送受信過程を含む）に使用することができる。
【００３５】
一つの実施例において、端末機器１１０は、同期信号を受信する時、受信ビームフォーミングを使用しなくてもよく、迅速同期と後続ビームスイープのコストの低下との間にトレードオフする。この時は、端末機器１１０が、自身の全幅のビームで基地局側の各発射ビームによって送信された同期信号を受信し、同期信号を成功に受信された時に該全幅ビームと整合した基地局側の発射ビームを基地局１２０にフィードバックすると見ることができる。他の一つの実施例において、端末機器１１０は、同期信号を受信する時、受信ビームフォーミングを使用することで、高周波同期信号のフェージングの防止及び後続のビームスイープのコストの節約を実現することができる。この時、同期信号を成功に受信した時の整合した端末機器側の受信ビームと基地局側の発射ビームを確定することができ、且つ該整合した発射ビームを基地局１２０にフィードバックすることができる。該整合した発射と受信ビームのペアは、直接に又は間接に基地局１２０と端末機器１１０との間の後続通信（ランダムアクセス過程及びデータ送受信過程を含む）に使用される。例えば、基地局１２０と端末機器１１０は、整合した同期信号の発射ビーム及び受信ビームと同じビームを使用してデータの送受信を行い、言い換えると、同期信号とデータ信号のビームフォーミングコードブックが同じである。また例えば、基地局１２０と端末機器１１０は、整合した同期信号の発射ビームと受信ビームを第一の等級のビームのペアとして使用し、該第一の等級のビームのペアがカーバする範囲内、第二の等級のビームスイープを行って、更に細かい送受信ビームのペアを確定してデータの送受信に使用し、言い換えると、同期信号とデータ信号のビームフォーミングコードブックが異なっており、データ信号のビームフォーミングコードブックは同期信号のビームフォーミングコードブックのサブセットである。
【００３６】
幾つかの実施例において、端末機器もビームフォーミング技術を採用して同期信号を受信する場合に、端末機器は、基地局が同期信号を発射する発射ビーム配置（例えばいくつの発射ビームを有するか、発射ビーム毎の繰り返し回数）に基づいて、端末機器の受信ビームを設定して同期信号を受信しても良い。例えば、端末機器１１０が受信ビームスイープを行う必要があるので、即ち異なる受信ビームを使用して基地局側が同一の発射ビームによって送信された信号を受信するので、端末機器１１０は基地局１２０の発射ビーム配置を知る必要がある可能性が高い。一つの例において、基地局１２０の発射ビーム配置は予め端末機器に報告されることができる。例えば、端末機器は二重接続（Dual  Connectivity）の方式によって基地局１２０と他のビームフォーミング送受信を行わない基地局（例えばＬＴＥ  ｅＮＢ）のサービスを同時に獲得することができ、端末機器１１０は該他の基地局から基地局１２０の発射ビーム配置情報を獲得することができる。具体的に、端末機器１１０はまず伝統方式により該他の基地局（主基地局と呼ぶことができる）にアクセスし、主基地局は例えばＸｎインターフェースによって基地局１２０に対してそれを副基地局として端末機器１１０に添加するように要求し、基地局１２０は主基地局に対して主基地局の添加要求の確認をフィードバックし、その中に基地局１２０の同期信号発射ビームの配置情報を含み、幾つかの例においてランダムアクセス配置情報を含んでも良い。次に、主基地局は、これら情報を例えばラジオリソース制御接続再配置メッセージに含んで、端末機器１１０に提供して、基地局１２０との同期を完成する。他の一つの例において、端末機器１１０は、基地局１２０が発射した同期信号から、基地局１２０の発射ビーム配置を獲得することができる。例えば、端末機器１１０は同期信号の測定過程によって基地局１２０の発射ビーム配置を推定することができる。
【００３７】
（ビームスイープ結果の報告）
以下、端末機器が行う整合した基地局側発射ビームのフィードバックを簡単に説明する。本開示による実施例において、端末機器１１０が整合した基地局側発射ビームを基地局１２０にフィードバックすることができるように、或る方式で発射ビームを指示する必要もある。暗示的な又は明示的な方式によって整合した基地局側の発射ビームを指示することで、ビームスイープ結果の報告を行うことができる。このビームスイープ結果の報告は、端末機器が行うランダムアクセス過程に含むことができる。もちろん、幾つかの実施例によると、基地局側の発射ビームに関するフィードバックがランダムアクセスプリアンブルと分離に送信されることができ、例えばランダムアクセスプリアンブルの前又はの後に送信されることができる。
【００３８】
本開示の幾つかの実施例によると、例えば本願の以下に説明するように、端末機器がランダムアクセスプリアンブルを送信することで、下りリンクにおいて端末機器側の受信行動と整合した基地局側の発射ビームを指示することができる。例えば、端末機器が受信ビームフォーミングを使用する場合について、端末機器がランダムアクセスプリアンブルを送信することで、下りリンクにおいて端末機器側の受信ビームと整合した基地局側の発射ビームを指示することができ、端末機器が受信ビームフォーミングを使用していない場合に、端末機器がランダムアクセスプリアンブルを送信することで、下りリンクにおいて端末機器側がビームフォーミングを使用していない受信行動と整合した基地局側の発射ビームを指示することができる。
【００３９】
幾つかの実施例において、端末機器１１０はランダムアクセス配置情報に基づいてランダムアクセスプリアンブルを送信して、下りリンクにおいて端末機器側の受信ビームと整合した基地局側の発射ビームを指示する。幾つかの実施例において、ランダムアクセス配置情報は、基地局側受信ビームと複数のランダムアクセス時間ウィンドウとの対応関係を含むことができる。一つの実施例において、該対応関係は、基地局側の複数の等級の受信ビームと複数のランダムアクセス時間ウィンドウとの対応関係を含むことができる。端末機器１１０は、該対応関係に基づいてランダムアクセスプリアンブルを送信することができる。一つの例において、基地局は、特定の時間ウィンドウに該ランダムアクセスプリアンブルを受信したことで、対応する基地局側の発射ビームを認識することができる。これは、暗示的な方式によって整合した基地局側の発射ビームを指示する一つの例である。
【００４０】
幾つかの実施例において、ランダムアクセスプリアンブルの後続の上りリンクメッセージによって、例えばビット位の附加など、下りリンクにおいて端末機器側の受信ビームと整合した基地局側の発射ビームを指示しても良く、これは明示的な方式の一つの例である。
【００４１】
以下、図３Ａから図１４を参照して、本開示の第一の側面を説明し、それは主に本開示の実施例による同期信号の送受信を開示する。幾つかの実施例によると、基地局側からビームフォーミングによって端末機器側へ同期信号を送信し、端末機器が同期信号を受信し、且つ基地局が該同期信号を送信するために使用される発射ビームの情報を獲得する。その後、端末機器は、獲得された発射ビーム情報を基地局へフィードバックし、これにより、基地局は、該フィードバックから基地局が同期信号を送信するために使用される発射ビームを知ることができ、後続の通信に使用する。幾つかの実施例によると、本開示の第一の側面の操作は、基地局側と端末機器側の電子機器によって実行することができる。以下、本開示の第一の側面の操作を詳細に説明する。
【００４２】
（基地局側に用いられる電子機器の例）
図３Ａは本開示の実施例による基地局側に用いられる例示的な電子機器を示し、そのうちに該基地局は様々な無線通信システムに使用されることができる。図３Ａに示す電子機器３００Ａは様々な手段を含んで本開示の第一の全体的な側面を実現することができる。図３Ａに示すように、電子機器３００Ａは、例えば同期信号送信手段３０５とフィードバック獲得手段３１０とを含むことができる。一つの実施方式によると、電子機器３００Ａは、例えば、図１における基地局１２０又は基地局１２０の一部でも良く、基地局を制御するための機器（例えば基地局コントローラ）又は基地局に用いられる機器又はそれらの一部でも良く。以下、基地局を参照して説明した様々な操作は、いずれも電子機器３００Ａの手段３０５、３１０又は他の手段によって実現することができる。
【００４３】
幾つかの実施例において、同期信号送信手段３０５は、ビームフォーミングによって端末機器へ同期信号を送信すことで、該同期信号を送信するために使用される発射ビーム情報を指示する、ように配置されることができる。同期信号送信手段３０５は、発射ビーム配置に基づいて異なる発射ビームを利用して端末機器に同期信号を繰り返し送信することができ、同期信号は該同期信号を送信するために使用される発射ビーム情報を含む。一つの例において、同期信号自身は該同期信号を送信するために使用される発射ビーム情報を含む又は指示することができる。他の一つの例において、同期信号を送信するために使用される転送リソース、例えば周波数、時間パラメータは、上記発射ビーム情報を指示することができる。幾つかの実施例において、発射ビーム情報は発射ビームＩＤを含むことができ、発射ビームＩＤ毎は特定の向きの発射ビームに対応する。
【００４４】
幾つかの実施例において、フィードバック獲得手段３１０は、端末機器からのフィードバックを獲得するように配置されることができ、該フィードバックは発射ビームの管理に用いられるように発射ビーム情報を含む。該発射ビーム情報に対応する発射ビームは、端末機器受信と整合した又は整合度が最も高い発射ビームであることができる。一つの例において、フィードバック獲得手段３１０は直接に端末機器から送信されたフィードバックを受信することができる。他の一つの例において、フィードバック獲得手段３１０は例えばＸｎインターフェースによって、他の基地局から、例えば前記の二重接続における主基地局から、端末機器のフィードバックを獲得することができる。フィードバック及びフィードバックを提供する過程は、後で具体的に説明する。電子機器３００Ａはフィードバックから発射ビーム情報、例えば発射ビームＩＤを獲得することができる。該発射ビームＩＤが表す発射ビームは端末機器受信と整合した発射ビームであり、電子機器３００Ａは各端末機器と整合した発射ビームを管理して、後続の該端末機器との下りリンク通信において該発射ビームを使用することができる。
【００４５】
（端末機器側に用いられる電子機器の例）
図３Ｂは本開示の実施例による端末機器側に用いられる例示的な電子機器を示し、そのうちに該端末機器は様々な無線通信システムに使用されることができる。図３Ｂに示す電子機器３００Ｂは様々な手段を含んで本開示の第一の全体的な側面を実現することができる。図３Ｂに示すように、一つの実施例において、電子機器３００Ｂは同期信号受信手段３２５とフィードバック提供手段３３０とを含むことができる。一つの実施方式によると、電子機器３００Ｂは、例えば図１における端末機器１１０又は端末機器１１０の一部であることができる。以下、端末機器を参照して説明した様々な操作は、いずれも電子機器３００Ｂの手段３２５、３３０又は他の手段によって実現することができる。
【００４６】
幾つかの実施例において、同期信号受信手段３２５は、同期信号を受信して、受信した同期信号に基づいて基地局が該同期信号を送信するために使用される発射ビーム情報を獲得する、ように配置されることができる。一つの実施例において、同期信号受信手段３２５は、無線通信システムの基地局側の発射ビーム配置に基づいて同期信号を受信するように配置されることができる。代わりに、或いは付加的に、同期信号受信手段３２５は同期信号を送信するために使用される転送リソース、例えば時間又は周波数パラメータに基づいて、上記発射ビーム情報を獲得することができる。幾つかの実施例において、発射ビーム情報は発射ビームＩＤを含むことができる。
【００４７】
幾つかの実施例において、フィードバック提供手段３３０は、フィードバックを基地局に提供するように配置されることができ、該フィードバックは、基地局が発射ビームの管理を行うように、発射ビーム情報を含む又は指示することができる。一つの例において、フィードバックされる発射ビーム情報に対応する発射ビームは、電子機器３００Ｂの受信と整合した又は整合度が最も高い発射ビーム（例えば同期信号の送受信に基づいて確定されたもの）である。一つの例において、フィードバック提供手段３３０はフィードバックを直接に電子機器３００Ｂへ同期信号を送信した基地局に送信することができる。他の一つの例において、フィードバック提供手段３３０は、フィードバックを他の基地局（例えば二重接続を経由した主基地局）によって上記基地局に転送することができる。
【００４８】
以下、本開示の実施例による同期信号及びその送受信を詳細に説明し、該同期信号は基地局発射ビームの発射ビーム情報を含む又は指示することができる。例えば、同期信号自身は、異なる同期系列を利用することで、又は異なる附加ビットを含むことで、該同期信号を発射する発射ビームの情報を指示することができ、又は同期信号の特定の送信方式は、該同期信号を発射する発射ビームの情報を指示することができる。
【００４９】
（同期信号の例）
本開示の実施例によると、基地局が送信した同期信号は異なるタイプを有すことができる。タイプ毎の同期信号は一般的に相応する同期信号系列を含むことができる。幾つかの実施例において、同期信号は少なくとも主同期信号と副同期信号を含むことができる。他の幾つかの実施例において、同期信号は第三の同期信号（Tertiary  Synchronizing  Signal,  TSS）を含んでも良い。一般的に、時間領域・周波数領域リソース上に同期信号を送信する必要がある。幾つかの実施例において、複数の同期信号は時間領域において連続でも良く、他の幾つかの実施例において、複数の同期信号は時間領域において不連続でも良い。幾つかの実施例において、複数の同期信号は周波数領域において連続でも良く、他の幾つかの実施例において、複数の同期信号は周波数領域において不連続でもよい。
【００５０】
図４Ａから図４Ｄは、本開示の実施例による同期信号に用いられる例示的な時間領域・周波数領域リソースを示す。幾つかの実施例において、同期信号を送信するための周波数領域リソースは相対に固定することができ、例えば周波数帯域中心の幾つかのリソースブロック又はサブキャリアであることができ、相応する時間領域リソースは下りリンクフレームにおける予定位置に位置することができる。図４Ａと４Ｂに示すように、ＬＴＥシステムにおけるフレーム構成を例として、主同期信号と副同期信号を送信するための周波数領域リソースは、周波数帯域中心の幾つか（例えば６個）のリソースブロック（具体的に示していない）であることができ、主同期信号を送信するための時間領域リソースは、一つの下りリンクフレームにおける番号が５であるサブフレームの１番目のタイムスロットの一つのＯＦＤＭ符号に位置することができ、副同期信号を送信するための時間領域リソースは、該下りリンクフレームにおける該サブフレームの１番目のタイムスロットの他の一つのＯＦＤＭ符号に位置することができる。図４Ａの例において、主同期信号と副同期信号は、時間領域において不連続である。図４Ｂは図４Ａと類似しているが、図４Ｂの例において、主同期信号と副同期信号は、時間領域において連続である。既知のように、図４Ａと図４Ｂに示す複数のサブフレームを含むフレームは時間領域において重複であり、フレーム毎はラジオフレーム番号を有すことができ、該ラジオフレーム番号は一定の周期を有す。例えば、ＬＴＥシステムにおいて、ラジオフレーム番号はシステムフレーム番号（ＳＦＮ）とも呼ばれ、それは１０２４の周期を有し、１０２４個のフレームの範囲内に、フレーム毎に認識を行うことができる。
【００５１】
図４Ｃに示すように、一つの周波数領域リソースブロックを使用して主同期信号を送信し、他の一つの周波数領域リソースブロックを使用して副同期信号を送信することができる。図４Ｃの例において、主同期信号と副同期信号は、周波数領域において不連続である。異なるタイプの同期信号の時間領域・周波数領域リソース上の更に多い配列は、図４Ｄ（即ち配列（１）から（５））を参照する。
【００５２】
更に、図４Ａと４Ｂに示すように、異なるタイプの同期信号を送信するための時間領域リソースは、ある位置関係を有すことができる。該位置関係は、時間領域リソースの間の順序を含むことができる。例えば、図４Ａにおいて、副同期信号のための符号が前にあり、主同期信号のための符号が後にあるが、図４Ｂにおいて、主同期信号のための符号が前にあり、副同期信号のための符号が後にある。代わりに、或いは付加的に、位置関係は時間領域リソースの間の間隔を含むことができる。例えば、図４Ａにおいて、主同期信号と副同期信号のための符号の間に３個の符号の間隔があり、図４Ｂにおいて、主同期信号と副同期信号のための符号の間に、０個の符号の間隔がある。ここでは具体的な説明はないが、理解すべきことは、異なるタイプの同期信号を送信するための周波数領域リソースブロックも、類似の位置関係を有して良い。更に、位置関係は、時間領域と周波数領域の位置関係を組み合ったものであっても良い。幾つかの実施例において、異なるタイプの同期信号の時間領域又は周波数領域における相対位置によって、システム情報を表すことができる。一つの例において、該システム情報は、無線通信システムの複信タイプと異なるサイクルプレフィックス長さの少なくとも一つを含むことができる。例えば、主同期信号と副同期信号との間の順序は、複信タイプを表す（例えば主同期信号は前でＴＤＤを表し、后でＦＤＤを表す）ことができ、主同期信号と副同期信号との間の間隔は、異なるサイクルプレフィックス長さを表す（例えば３個の符号の間隔があることは、拡張のサイクルプレフィックスを表すなど）ことができる。
【００５３】
図４Ｄは同期信号の時間領域・周波数領域リソース上の５種類の例示的な配列を示す（水平方向は時間領域を代表し、垂直方向は周波数領域を代表する）。前記のように、これらの配列において異なるタイプの同期信号の間の（時間領域、周波数領域又はその組み合わせ）位置関係は異なるシステム情報を表すことができる。図４Ｄにおける例示的な配列の共通点は、各同期信号が連続であり、即ち時間領域、周波数領域又は時間・周波数領域において連続であることである。これら異なるタイプの連続的な同期信号は、同期信号ブロック（SS  Block）を形成すると見ることができる。同期信号は、同期信号ブロック毎に載置されて繰り返し送信されることができる。所定の周波数帯域について、同期信号ブロックは、デフォルトサブキャリア間隔に基づくＮ個のＯＦＤＭ符号に対応することができ、ただし、Ｎは定数である。端末機器は、同期信号ブロックから少なくともラジオフレームにおけるタイムスロットインデックスと符号（例えばＯＦＤＭ符号）インデックスを獲得することができる。一つの例において、同期信号ブロックは報知用のチャネルを含んでも良く、端末機器はその中からラジオフレーム番号を獲得する。例えば、配列（５）において、同期信号ブロックはＰＢＣＨ報知チャネルを含んでも良い。
【００５４】
本開示の幾つかの実施例によると、同期情報は、基地局が該同期信号を送信するために使用される発射ビームの発射ビーム情報を含むことができる。例えば、異なる同期信号ブロックは、異なる同期信号内容（例えば異なる同期信号系列又は異なる余分情報ビット）を含んで、該同期信号ブロックを送信するために使用される発射ビーム情報（発射ビームＩＤ）を指示することができる。
【００５５】
（同期信号／同期信号ブロックの送信時間ウィンドウの例）
一般的に、同期信号は、下りリンクフレームにおける特定時間ウィンドウにおいて送信されることができ、これら時間ウィンドウは、一定の時間周期又は時間モードで配列されることができる。これら時間ウィンドウは、同期信号／同期信号ブロックの特定の送受信時点（ｏｃｃａｓｉｏｎ）に対応することができる。本開示による実施例において、ビームフォーミングを使用して同期信号を送信するので、１）複数の異なるビームを使用して送信し、及び２）シングルのビームを使用して繰り返し送信するように、更に多い同期信号の送信ウィンドウが必要である。同期信号ブロックを送信することを例として、幾つかの実施例において、複数の同期信号ブロックに用いられる時間ウィンドウは、下りリンクフレームにおいて分散即ち不連続であっても良い。相応する一つの例は、図５Ａを参照する。図５Ａに示すように、同期信号ブロックを送信するための時間ウィンドウは一定の周期で配列されており、同期信号ブロック毎は、例えば主同期信号、副同期信号と報知チャネルを含むことができる。
【００５６】
幾つかの実施例において、発射ビームフォーミングを使用して同期信号を送信するように、複数の（例えば２個、４個、８個、１２個、１６個の）同期信号ブロックを時間領域において集中させて（即ち連続させて）同期信号バースト（SS  Burst）を形成することができる。時間領域において、同期信号バーストは複数の連続的な同期信号ブロックを含むことができる。一つの例において、同期信号バーストの長さは、含んでいる同期信号ブロックの個数で表すことができる。複数の同期信号バーストの間は、時間領域において一定の間隔を有すことができる。同期信号バーストが複数の同期信号ブロックを集中することができるので、基地局と端末機器がより速く同期信号を送受信する同時にビームスイープを完成することができる。同期信号バーストの一つの例は、図５Ｂを参照し、そのうちに同期信号バーストの長さは１２である。図５Ｂに示すように、同期信号ブロックを送信するための１２個の時間ウィンドウ同士が集中されて、同期信号バーストに用いられる一つの比較的に大きい時間ウィンドウを形成し、且つ複数の比較的に大きい時間ウィンドウは一定の周期（例えばＳＳバースト周期）で配列されることができる。同期信号ブロック毎は、同様に例えば主同期信号、副同期信号と報知チャネルを含むことができる。
【００５７】
無線通信システムにおいて、同期信号の送信時間ウィンドウは、常に下りリンクフレームの特定の時間パラメータに対応するように指定される。このように、図５Ａと図５Ｂ中の同期信号バースト、同期信号ブロックと同期信号は、時間ウィンドウを介して下りリンクフレームの時間パラメータに関連することができ、例示的な時間パラメータは、ＯＦＤＭ符号インデックス、ラジオフレームにおけるタイムスロットインデックス及びラジオフレーム番号等を含むことができる。例えば、同期信号バースト、同期信号ブロック又は同期信号があるラジオフレームに位置し、且つ具体的にあるタイムスロットのあるＯＦＤＭ符号に位置することを確定することができる。すなわち、端末機器は、同期信号ブロック又は同期信号の受信に基づいて、ＯＦＤＭ符号インデックス、ラジオフレームにおけるタイムスロットインデックス及びラジオフレーム番号中の一つ又は複数を認識することができる。
【００５８】
本開示の幾つかの実施例によると、同期信号の送信方式（例えば、送信時間ウィンドウ、時間パラメータ等）は、同期信号を送信するために使用される発射ビームの情報を指示することができる。例えば、幾つかの実施例において、これらの時間パラメータは、発射ビーム配置と結合して、（例えば端末機器によって）同期信号を送信するために使用される発射ビームを認識することができる。
【００５９】
（基地局側の同期信号の送信）
幾つかの実施例によると、基地局側は発射ビーム配置に基づいて同期信号を送信することができる。前記のように、基地局側の複数の発射ビームの繰り返しモードは、発射ビーム配置によって表すことができる。一般的に、発射ビームの繰り返しモードを表すために、発射ビーム配置は、少なくとも２つの側面の情報、即ち発射ビームの数及びそれぞれの発射ビームを使用して（例えば同期信号を）繰り返し送信する回数を含む又は指示することができる。幾つかの実施例において、発射ビーム配置は、少なくとも同期信号の送信の時間パラメータを一回指定してもよい。
【００６０】
幾つかの実施例において、発射ビーム配置は、基地局が同期信号の送信に使用可能な発射ビームの数及びそれぞれの発射ビームを連続に使用して送信する回数を指定することができる。図６Ａと図６Ｂは、本開示の実施例による基地局側の例示的な発射ビーム配置を示す。図６Ａに示すように、発射ビーム配置６００Ａは、基地局側に同期信号を送信するための４個の発射ビームTX_B1からTX_B4を有し、且つ発射ビーム毎を３回連続的に使用して同期信号を送信可能であることを指定する。図６Ｂに示すように、発射ビーム配置６００Ｂは、基地局側に同期信号を送信するための１２個の発射ビームTX_B1からTX_B12を有し、且つ発射ビーム毎を１回だけ使用して同期信号を送信可能であることを指定する。幾つかの場合に、Ｎ個×Ｍ回の形式で発射ビーム配置を表すことができる。例えば、図６Ａにおいて４個の異なる発射ビーム、発射ビーム毎が３回繰り返する例示的な発射ビーム配置は４個×３回の配置と呼ぶことができる。類似に、図６Ｂにおける例示配置は１２個×１回の配置と呼ぶことができる。これらの発射ビーム配置は例示だけである。各実施例において、発射ビームは任意の複数であることができ、繰り返し回数も１回又は複数回であることができる。
【００６１】
相応する実施例において、電子機器３００Ａは、発射ビーム配置に基づいて、複数の（例えば４個又は１２個の）発射ビームにおける発射ビーム毎を使用して同期信号を送信し、且つそれぞれの発射ビームを指定回数（例えば３回又は１回）までに連続に使用して同期信号を送信する（即ち発射ビームスイープ）ことができる。
【００６２】
本開示の幾つかの実施例によると、順番にそれぞれの発射ビームを使用して同期信号を一回発射し、そして、指定回数までにこの過程を繰り返し、これにより発射ビームスイープを行う。
【００６３】
幾つかの実施例において、発射ビーム配置は、基地局が同期信号の送信に使用可能な異なる等級の発射ビームの数と異なる等級のそれぞれの発射ビームを連続に使用して送信する回数を指定することができる。図６Ｃは、本開示の実施例による基地局側の等級付けの発射ビームの場合における例示的な発射ビーム配置を示す。基地局側が４個の第一の等級の発射ビームを有し、第一の等級の発射ビーム毎が２個の第二の等級の発射ビームを有すとする。第一の等級の発射ビーム配置は例えば図６Ａに示すものであることができ、第二の等級の発射ビーム配置は例えば図６Ｃに示すものであることができる。第二の等級の発射ビーム配置６００Ｃは、同期信号を送信するための８個の第二の等級の発射ビームTX_B1,1からTX_B4,2を有し、且つ第二の等級の発射ビーム毎を３回連続使用して同期信号を送信可能であることを指定することができる。幾つかの場合に、同様にＮ個×Ｍ回の形式で等級付けの発射ビーム配置を表すことができる。例えば、図６Ｃに、第一の等級の発射ビーム配置は４個×３回の配置と表すことができ、第二の等級の発射ビーム配置は２個×３回の配置（ただし“２個”の第二の等級の発射ビームは、シングルの第一の等級の発射ビームに対応する）又は８個×３回の配置と表すことができる（ただし“８個”の第二の等級の発射ビームは第一の等級の発射ビーム全体に対応する）ことを示す。
【００６４】
相応する実施例において、電子機器３００Ａは、前記異なる等級の発射ビーム毎を使用して同期信号を送信し、且つ指定回数までにそれぞれの発射ビームを連続使用して同期信号を送信する、ように配置されることができる。
【００６５】
幾つかの実施例において、発射ビーム配置は、例えば特定の発射ビームの特定の送信と同期信号時間ウィンドウとの対応関係を指示することで、基地局側の発射ビームと複数の同期信号時間ウィンドウとの対応関係を指示することもできる。例えば、発射ビーム配置６００Ａは、発射ビームTX_B1を使用する第一回の同期信号が送信される時間ウィンドウ（例えば該時間ウィンドウの特定フレーム、サブフレーム、タイムスロット及び／又はＯＦＤＭ符号等を含む時間パラメータ）を指定することができる。この時、電子機器３００Ａは、該時間ウィンドウ／時間パラメータに基づいて発射ビームＴＸ＿Ｂ１を使用して同期信号を送信することができ、同期信号時間ウィンドウの配列と発射ビーム配置に基づいて次の送信を続けることができる。相応に、電子機器３００Ｂは、同期信号を成功に受信した時間ウィンドウ／時間パラメータと発射ビーム配置に基づいて、該同期信号を送信するために使用される発射ビームを確定することができる。具体的な例示は、図７Ａから図７Ｄの以下の説明を参照することができる。
【００６６】
図７Ａから図７Ｄは、本開示の実施例による発射ビームと同期信号ブロック（又は同期信号）との間の対応関係を示す。図７Ａと図７Ｂは、４個×３回の配置における例示的な対応関係を示し、そのうちに図７Ａは同期信号ブロックが時間的に分散された場合に対応し、図７Ｂは同期信号ブロックが同期信号バーストを形成する場合に対応する。
【００６７】
図７Ａにおいて、基地局側の発射ビームと複数の同期信号時間ウィンドウとの対応関係に基づいて、第一の組の３個の同期信号ブロックの位置に、共に１番目の発射ビームを使用して同期信号ブロックを送信する。第二の組の３個の同期信号ブロック位置に、共に第二の発射ビームを使用して同期信号ブロックを送信する。次に、第三の組、第四の組の同期信号ブロック位置に、それぞれ、共に三番目と四番目の発射ビームを使用して同期信号ブロックを送信する。注意すべきことは、図７Ａは、例示的なビーム配置の一回のサイクルだけを示し、後の時間に上記配列を繰り返して同期信号を送信することができる。
【００６８】
図７Ｂにおいて、同期信号ブロックは時間的に同期信号バーストとして配列され、信号バーストは、一定の周期に基づく送信されることができる。そのうちに、同期信号バーストの長さは、ちょうど１２個の同期信号ブロックであるので、４個×３回の配置における１２回の同期信号の送信と整合する。幾つかの実施例において、同期信号バーストの長さと発射ビーム配置とが完全に整合することでない場合の可能性がある（例えば長さが１５である同期信号バーストと４個×３回の配置とが完全に整合することでない可能性がある）ので、予め配置によって両方を整合させることができる。図７Ｂにおいて、１番目の同期信号バーストについて、第一の組の３個の同期信号ブロック位置に、共に１番目の発射ビームを使用して同期信号ブロックを送信する。第二の組の３個の同期信号ブロック位置に、共に第二の発射ビームを使用して同期信号ブロックを送信する。次に、第三の組、第四の組の同期信号ブロック位置に、それぞれ、共に三番目と四番目の発射ビームを使用して同期信号ブロックを送信する。その後、次の同期信号バーストについて、上記配列を繰り返して同期信号を送信する。
【００６９】
４個×３回の配置の外に、必要に応じて異なる発射ビーム配置、例えば６個×３回、８個×２回等の配置を選択しても良い。特に、同期信号バーストの場合に、例えば、長さが１２である同期信号バーストについて、例えば２個×６回、３個×４回、６個×２回、１２個×１回の配置が存在しても良く、更に、他の長さの同期信号バースト及び相応の発射ビーム配置（例えば５個×３回の配置、長さが１５である同期信号バースト）が存在しても良い。
【００７０】
図７Ｃと図７Ｄは１２個×１回の配置を示し、図７Ｃと７Ｄの理解については、以上の図７Ａと７Ｂの説明を参照することができ、ここで重複しない。発射ビーム配置の選択の根拠は、例えば基地局がサポートする発射ビームの数、端末機器がサポートする発射ビームの数等を含む。例えば、セルカバー範囲が比較的に大きい場合に、同期信号が比較的に遠い距離をカーバする必要があるので、基地局側の比較的に大きい発射ビームフォーミング利得が必要であり、発射ビーム角度毎は相対的に狭いであることができ、相応に発射ビームの数が比較的に多い。この時、例えば６個×２回、１２個×１回の配置を選択する可能性がある。逆に、セルカバー範囲が比較的に小さい場合に、発射ビーム角度毎は相対的に広いであることができ、相応に発射ビームの数が比較的に少ない。端末機器の受信ビームが比較的に多い場合に、例えば２個×６回、３個×４回の配置を選択する可能性がある。端末機器が全幅受信ビームを使用する場合に、１２個×１回の配置を選択する可能性がある。基地局の同期信号発射ビーム配置は、端末機器に特定しておらずセルに特定しているので、幾つかの例において、基地局は、それが既にサービスした端末機器の受信ビームフォーミング能力を統計して、公平の原則に基づいて発射ビーム配置を設定することができる。
【００７１】
前記のように、基地局側発射ビームと同期信号時間ウィンドウとの対応関係が既知である場合に、同期信号を成功に受信した時間ウィンドウ／時間パラメータと発射ビーム配置に基づいて、該同期信号を送信するために使用される発射ビームを確定することができる。図７Ａを例として、第１の発射ビーム７０１に対応する時間パラメータｔ１が既知であり、且つ端末機器が同期信号ブロックから同期信号を受信し発射ビーム７０２の時間パラメータｔ２を確定すると仮定する。同期信号ブロック周期がＴであると、（ｔ１−ｔ２）／Ｔは発射ビーム７０２が発射ビーム７０１の後の何番目の発射ビームの送信であるかを表す。図７Ａの例において、端末機器は、発射ビーム７０２が発射ビーム７０１の後の９番目の発射ビームの送信であると確定することができ、且つ４個×３回の配置において４個のビームを有しかつビーム毎が３回繰り返すことで、発射ビーム７０２が４番目の発射ビームであると確定することができる。該方法は同様に図７Ｂに適用しているが、注意すべきことは、考えすべき周期に同期信号バースト周期及びバースト内の同期信号ブロックの周期を含む。
【００７２】
（端末機器側の同期信号の受信）
幾つかの実施例によると、端末機器は様々な方式に従って基地局側からの同期信号を受信することができる。一つの実施例によると、端末機器がビームフォーミングを使用しないで（即ち全幅の受信ビームを使用して）同期信号を受信したら、端末機器側の電子機器３００Ｂは、単に全幅のビームを使用して基地局が異なる発射ビームによって送信した同期信号を受信する必要があることができる。一つの例によると、発射ビーム毎の連続の指定された回数の送信について、全幅のビームを使用して全ての回数の発射ビームを受信し、又は一回の発射ビーム、例えば第一回に送信された発射ビームだけを受信することができる。他の一つの例によると、指定回数までに全ての発射ビームを順番に発射される送信について、全幅のビームを使用して全ての回数の発射ビームを受信し、又は一回の全ての発射ビームだけ、例えば第一回に送信された全ての発射ビームを受信することができる。
【００７３】
他の一つの実施例によると、端末機器が受信ビームフォーミングを使用する必要があると、端末機器側の電子機器３００Ｂは、基地局が指定回数の各発射ビームを使用する送信中の送信について、異なる受信ビームを使用して同期信号を受信する（即ち受信ビームスイープ）、ように配置されることができる。一つの例として、基地局が発射ビーム毎を指定回数で連続に送信する送信について、異なる受信ビームを使用して同一の発射ビームによって発射された同期信号を受信することができる。他の一つの例によると、指定回数までに全ての発射ビームを順番に発射する送信について、同じ受信ビームを使用して毎回順番に送信された全ての発射ビームを受信することができ、又は、受信ビーム毎が全ての発射ビームを受信することができるまで、異なる受信ビームを使用して発射ビームを受信することができる。上記実施例において、受信ビームスイープが必要である場合に、端末機器側の電子機器３００Ｂは、発射ビーム配置を既に知る又は知る可能な必要があり、これにより、自身の受信ビーム配列を確定する。
【００７４】
以下、端末機器が同期信号の受信を行う時に端末機器が採用する受信ビーム配列を例示的に説明する。
【００７５】
前記のように、端末機器は、受信ビームフォーミングを使用又は使用しないで基地局が発射ビームフォーミングによって送信した同期信号を受信することができる。図８Ａに、４個×３回の発射ビーム配置における端末機器の例示的な受信ビーム配列を示す。図８Ａにおける受信ビーム配列１と２は、端末機器が受信ビームフォーミングを使用しないで同期信号を受信する場合に対応する。この時、電子機器３００Ｂは一般的に受信ビーム配列１を使用することができ、即ち全幅の受信ビーム（例えばRX_B1）を使用して発射ビーム毎の毎回の送信を受信することができる。受信ビーム配列１の利点は、発射ビーム毎による送信に対して、いずれも複数回に受信して、ダイバーシチ利得を取得することができる。同期信号を受信する時、電子機器３００Ｂは、同期信号ブロックの内容に基づいて相関演算を行うことができ、相関度が最も高い又は一定の予定閾値より高い発射受信ビームのペアが整合した発射ビームである。例えば、発射ビーム２の同期信号を受信する相関程度が他の発射ビームより高い場合に、発射ビーム２と全幅の受信ビームとが整合したと見ることができる。一つの好ましい具体的な例において、主同期信号系列集合における系列個数が副同期信号系列集合における系列個数より大幅に小さいことを考えて、電子機器３００Ｂがまず受信された発射ビームに載置された同期信号ブロックにおける主同期信号系列と予め記憶された主同期信号系列集合における主同期信号系列毎との相関演算を行い、発射ビーム毎に載置された主同期信号系列の相関程度に基づいてそのうちに整合した発射ビーム（及び整合した主同期信号系列）を確定、そして、更に該整合した発射ビームに載置された同期信号ブロックにおける副同期信号系列と副同期信号系列集合における副同期信号系列毎の相関演算を行うことで、整合した副同期信号系列を確定すると設計され、電子機器３００Ｂが次に整合した主同期信号系列及び副同期信号系列に基づいて、相応セルの物理セル標識（ＰＣＩ）を計算して得て、例えばＰＣＩ＝ＰＳＳ＋３＊ＳＳＳであり、ＰＣＩに基づいて下り参照信号の構成を確定してＰＢＣＨに対して復号を行う。幾つかの例において、ＰＳＳの値は０．．．２（実は３種類の異なるＰＳＳ系列）であり、ＳＳＳの値は０．．．１６７（実は１６８種類の異なるＳＳＳ系列）であり、上記数式から、ＰＣＩの範囲は０．．．５０３であるので、物理層に５０４個のＰＣＩが存在する。同期信号が第三の同期信号も含む例において、最後に第三の同期信号系列の整合を行い、再び設計されたＰＣＩの計算数式に基づいてＰＣＩを計算する（具体的な数式は本開示が意図に解決する技術問題でなく、ここで省略する）。従って、本開示による同期方案の複雑度を効率に低下ことができ、特に次世代セルラネットワークにおいてＳＳＳの数が数千に成長するかもしれなく、この好ましい実施例の技術効果は、その時点で特に顕著である。電子機器３００Ｂが基地局の発射ビーム配置を知る場合に、発射ビーム毎の複数回の繰り返し送信中の一部の送信だけを受信することができる。例えば、電子機器３００Ｂは受信ビーム配列２を使用することができ、即ち発射ビーム毎の複数回の送信について、全幅の受信ビーム（例えばRX_B1）を使用して一回だけ受信する（例えば第一回の送信だけを受信する）。受信ビーム配列２の利点は、端末機器の受信リソース（例えば消費電力等）を節約することができることである。
【００７６】
図８Ａにおける受信ビーム配列３と４は、それぞれに端末機器が２個又は３個の異なる受信ビームを使用して同期信号を受信する場合に対応する。この時、発射ビーム毎の複数回の送信について、電子機器３００Ｂは異なる受信ビームを使用して受信を行う必要がある。そのために、電子機器３００Ｂは、基地局の発射ビーム配置を知る必要があって、相応する受信ビームを配置する。受信ビーム配列３又は４において、電子機器３００Ｂが発射ビーム毎に３回繰り返することを知るので、この３回の繰り返しにおいて自分の受信ビームを配置して、受信ビーム毎が少なくとも１回使用されることで、ビームスイープの目的を実現することができる。図８Ａは異なる発射ビームの送信一回のサイクルだけを示し、その後、次の一回のサイクルを設置することができる。
【００７７】
以上の４個×３回の発射ビーム配置について、端末機器が３個より多い受信ビームを有す時、異なる発射ビームの送信の一回のサイクルが全ての受信ビームスイープを完成することができない。しかしながら、電子機器３００Ｂが発射ビーム配置を知るので、次回のサイクルにおいて他の受信ビームを配置してスキャンを行うことができる。本開示の元に、当業者は様々な変形した受信ビーム配置を構想してビームスイープを実現することができ、これら変形は全て本開示の範囲に含む。
【００７８】
また、図８Ａは時間ウィンドウの例示的な配列だけであり、それは各時間ウィンドウの相対位置を表すことができるが、それらの下りリンクフレームにおける的確な位置を表すことではない。例えば、図７Ａと図７Ｃに示すように複数の不連続的な時間ウィンドウを使用することができ、又は図７Ｂと７Ｄに示すように複数の連続的な時間ウィンドウを使用することができる。また、本明細書の各図における時間ウィンドウ及びその間の距離の大きさは例示的に示したものであり、必ず比例に従って記載していない。
【００７９】
理解されるべきことは、等級付けの発射ビーム配置に、図８Ａは、第一の等級の発射ビーム及び相応する様々な受信ビーム配列を示すと考えられる。第一の等級の発射ビームの後に、第二の等級の発射ビームを設置することができる。図８Ｂは、第二の等級の発射ビーム配置及び端末機器の例示的な受信ビーム配列を示す。該等級付けの発射ビーム配置の第一の等級の配置は上記４個×３回の発射ビーム配置であることができ、第二の等級の配置は２個×３回の発射ビーム配置であることができ、即ち粗発射ビーム毎は２個の細発射ビームに対応し、細発射ビーム毎に３回繰り返す（単純化のために、前の二つの粗ビームに対応する細ビームだけを示す）。一つの例において、図８Ａに示すように第一の等級の発射ビームの送信を使用した後、例えば図８Ｂ中の発射ビーム配列に示すように、次に第二の等級の発射ビームを使用して送信を行うことができる。図８Ｂにおいて、粗発射ビーム毎に対応する各細発射ビームは、発射ビーム配置において指示された回数までに逐次に繰り返す。例えば、粗発射ビームTX_B1に対応する細発射ビームTX_B1,1はまず３回繰り返し、次にTX_B1,2も３回繰り返すことで、１番目の粗発射ビームTX_B1に対応する細発射ビームスイープが完成した。次に、順番に次の粗発射ビームに対応する細発射ビームスイープを行う。
【００８０】
図８Ａの説明と類似に、図８Ｂにおいて、受信ビーム配列１と２が、端末機器が受信ビームフォーミングを使用しない場合に対応する。この時、電子機器３００Ｂは、受信ビーム配列１を使用することができ、即ち全幅の受信ビーム（例えばRX_B1）を使用して発射ビーム毎の各回の送信を受信する。受信ビーム配列１の利点は、発射ビーム毎による送信に対して、いずれも複数回に受信して、ダイバーシチ利得を取得することができる。各細発射ビームによって送信された同期信号を受信する時、電子機器３００Ｂは、同期信号ブロックの内容に基づいて相関演算を行うことができ、相関度が最も高い又は一定の予定閾値より高い発射受信ビームのペアは、整合した発射受信ビームのペアである。例えば、受信TX_B2,1の同期信号の相関性が他の発射ビームより大きい場合、TX_B2,1とRX_B1とが整合したと見ることができる。電子機器３００Ｂが基地局の発射ビーム配置を知る場合に、電子機器３００Ｂは、受信ビーム配列２を使用しても良く、即ち発射ビーム毎の複数回の繰り返し送信について、一部の送信だけを受信する。例えば、全幅の受信ビーム（例えばRX_B1）を使用して一回だけ（例えば第一回の送信だけ）を受信することができる。受信ビーム配列２の利点は、端末機器の受信リソース（例えば消費電力等）を節約することができることである。
【００８１】
図８Ｂにおける受信ビーム配列３と４は、それぞれに端末機器が２個又は３個の異なる受信ビームを使用して同期信号を受信する場合に対応する。この時、細発射ビーム毎の複数回の送信について、電子機器３００Ｂは異なる受信ビームを使用して受信を行う必要がある。そのために、電子機器３００Ｂは、基地局の発射ビーム配置を知る必要があって相応する受信ビームを配置する。受信ビーム配列３又は４において、電子機器３００Ｂが細発射ビーム毎に３回繰り返することを知るので、この３回の繰り返しにおいて自分の受信ビームを配置して、受信ビーム毎が少なくとも１回使用されることで、ビームスイープの目的を実現することができる。図８Ｂは異なる細発射ビームの送信の一回のサイクルを示す。等級付けの発射ビームスイープの場合に、一回のサイクルの細発射ビームスイープを完成した後、次のサイクルの粗発射ビームスイープ及び細発射ビームスイープを行うことができる。本開示の元に、当業者は様々な変形した受信ビーム配置を構想してビームスイープを実現することができ、これら変形は全て本開示の範囲に含む。
【００８２】
理解されるべきことは、図８Ｂの例において、第二の等級の全ての発射ビームスイープは、２４個（８個×３回）の時間ウィンドウによって完成するが必要する。従って、２個の長さが１２である同期信号バーストにおいて完成する必要があるかもしれない。
【００８３】
前記のように、予め配置して同期信号バーストの長さと発射ビーム配置とを整合させることで、発射ビームの数又は繰り返し回数の一つを知る場合に、全体の発射ビーム配置を知ることができる。例えば、長さが１２である同期信号バーストと上記４個×３回の配置とは整合している。長さが１２である同期信号バーストの場合に、一旦４個の発射ビームが存在することを知ると、発射ビーム毎に３回繰り返することを知る。逆もまた然りである。
【００８４】
（端末機器の発射ビーム配置の獲得）
幾つかの実施例において、端末機器が同期信号を受信することを容易にするために、端末機器が基地局側の発射ビーム配置を知る必要がある。しかしながら、同期信号の受信が成功する前、端末機器は、シグナリングによって基地局から発射ビーム配置についてのいずれかの情報を獲得することができない。本開示の実施例によると、端末機器は、少なくとも以下の方式で発射ビーム配置を獲得することができ、即ち他の基地局を介して発射ビーム配置を獲得し、及び／又は発射ビーム測定に従って発射ビーム配置を獲得する。
【００８５】
本開示の幾つかの実施例によると、基地局に用いられる電子機器３００Ａは、発射ビーム配置を二重接続によって共に端末機器をサービスする他の基地局に伝達するように配置されることができ、該発射ビーム配置を該他の基地局によって端末機器に指示することができる。
【００８６】
既知のように、二重接続（Dual  Connectivity）は、端末機器を複数の基地局と通信可能にして、データレートを向上する技術である。例えば、端末機器は、第一の基地局と第二の基地局との両方の接続を維持することができる。第一の基地局と端末機器との通信過程において、期待（例えばデータレートの向上の期待）に基づいて、第二の基地局を添加して二重接続を形成することができ、第一の基地局は主ノードとなり、第二の基地局は副ノードとなる。幾つかの場合に、主ノードは、ＬＴＥシステム中のｅＮＢであることができ、副基地局は、５Ｇシステムにおける対応ノード、例えばＮＲシステムにおけるｇＮＢであることができる。本開示の実施例によると、該添加操作は以下のような副ノード添加（ａｄｄｉｔｉｏｎ）操作によって実現されることができる。
【００８７】
図９は、本開示の実施例による副ノード添加の例示的な操作を示す。図９において、電子機器３００Ａは第二の基地局に対応することができ、該例示的な操作によって端末機器とこの二つの基地局とが二重接続を形成する。９０２において、第一の基地局は、第二の基地局へ副ノード添加の要求メッセージを送信して、第二の基地局に対して端末機器と通信するためのラジオリソースを分配するように要求することができる。ここで、第一の基地局は、該端末機器をサービスするための主セル組（ＭＣＧ）の配置と端末機器能力を指示することができ、且つ端末機器に添加することが要求される第二の基地局のスレーブセル組（ＳＣＧ）からのセルについての測定結果を提供することができる。９０４において、第二の基地局は、ラジオリソース管理エンティティがリソース要求を許可した後、相応するリソースを分配し第一の基地局へ副ノード添加要求ＡＣＫを送信することができる。ここで、第二の基地局は、ランダムアクセスをトリガーして、副ノードのラジオリソース配置の同期を実行することができる。第二の基地局は、第一の基地局へＳＣＧの新たなラジオリソース及びＳＣＧ中の主セルＰＳＣｅｌｌのビーム配置情報を提供することができる。もちろん、幾つかの場合に、ビーム配置情報は、ＳＣＧ中の他のセルのビーム配置情報を含んでも良い。９０６において、第一の基地局は、端末機器に対してＲＲＣ接続の再配置を行うように指示し、端末機器へ上記発射ビーム配置を指示することができる。９０８において、端末機器は、第一の基地局へＲＲＣ接続の再配置の完成を指示することができる。９１０において、第一の基地局は、第二の基地局へ副ノード再配置の完成を指示することができる。このように、端末機器は、獲得された発射ビーム配置情報に基づいて、副ノードとのＰＳＣｅｌｌの同期過程を実行することができる。副ノードである第二の基地局は、ラジオフレームタイミングとＳＦＮの以外のシステム情報を報知する必要がなく、主ノードである第一の基地局の専用ＲＲＣシグナリングによって端末機器へシステム情報（初期配置）を提供することができる。少なくともＰＳＣｅｌｌの同期信号（例えばＰＳＳ、ＳＳＳとＰＢＣＨ）からＳＣＧのラジオフレームタイミングとＳＦＮを獲得することができる。
【００８８】
幾つかの実施例において、第一の基地局はｅＮＢに限定しておらず、第二の基地局はｇＮＢに限定していなくても良い。例えば、第一の基地局と第二の基地局は、同一無線通信システムに属する又は異なる無線通信システムに属するいずれかの基地局であることができる。幾つかの例において、上記第一の基地局は、前世代の無線通信システムに属する基地局であることができる。
【００８９】
本開示の幾つかの実施例によると、端末機器は、オムニアンテナを含むことができる。電子機器３００Ｂは、異なる受信ビームを使用して同期信号を受信する前、ビームフォーミングを使用しないで同期信号を受信することで基地局側の発射ビーム配置を獲得するように配置されることができる。
【００９０】
図２Ｂを参照し、電子機器３００Ｂは、全幅の受信ビームで基地局側が異なる発射ビームを使用して送信した同期信号を受信するとする。電子機器３００Ｂについて、基地局側の異なる発射ビームは異なる受信性能を意味する。３個×３回の配置において、電子機器３００Ｂが検出した受信性能は、図１０に示すようにすることができる。そのうちに、Ａ、Ｂ、Ｃは、それぞれに異なる受信性能を表す。一定の時間の測定によって、３種類の受信性能を有することに基づいて３個の発射ビームを有することを確定することができ、受信性能毎に３回繰り返すことに基づいて発射ビーム毎を３回繰り返したことを確定することができる。発射ビーム配置と同期信号バーストとが配合した場合に、同期信号バーストの長さと、異なる受信性能の数及び受信性能毎の繰り返しの回数の一つに基づいて、発射ビーム配置を確定することができる。この例において、同期信号バーストの長さが９である場合に、３種類の受信性能を有することに基づいて発射ビーム毎が（９／３）＝３回繰り返すことを確定することができ、又は受信性能毎に３回繰り返したことに基づいて（９／３）＝３個の発射ビームを有することを確定することができる。
【００９１】
（発射ビームの指示とフィードバック）
本開示の実施例において、発射ビームフォーミングで同期信号を送信することは、該同期信号を送信するために使用される発射ビーム情報、例えば発射ビームＩＤを指示するに用いることができる。同期信号の送信は、以下の少なくとも一つによって発射ビームＩＤを指示又は含むことができる。
【００９２】
前記のように、同期信号は、同期系列を含むことができる。一つの実施例において、該同期系列自身は、発射ビームＩＤを表すことができる。例えば、同期系列を複数の組に分けることができ、同一の組における同期系列毎は、同一の発射ビームを表すことができる。ＬＴＥシステムにおける主同期信号を例として、システムにおいて複数の長さが６３であるＺａｄｏｆｆ−Ｃｈｕ系列を有すことができる。４個×３回の発射ビーム配置について、図１１Ａに示すようにこれらのＺａｄｏｆｆ−Ｃｈｕ系列を（例えば平均に）４組に分けることができ、各組における系列は、４個の発射ビームの一つを表すことができる。例えば、第一の組の系列（第１からＮ／４個の系列）のいずれかの系列は、発射ビームＩＤの１を表すことができる。電子機器３００Ａは、該発射ビームを使用して同期信号を送信する時、該同期信号が含む同期系列は、第一の組の系列のいずれかであることができる。このように、電子機器３００Ｂは、該同期信号を受信した時、同期信号における同期系列に基づいて、該同期信号の発射に使用される発射ビームＩＤが１であることを確定することができる。もちろん、このような実施例において、（例えば通信プロトコルによって規定し対応関係を通信の両方のチップに予め記憶することによって）基地局と端末機器が、各組の同期系列と発射ビームとの対応関係について協商一致にすることができる必要がある。
【００９３】
一つの実施例において、同期系列の外に、同期信号は余分な情報ビットも含み、該余分な情報ビットは、発射ビームＩＤを表すことができる。図１１Ｂに示すように、４個×３回の発射ビーム配置について、余分ビット００、０１、１０、１１をそれぞれに４個の発射ビームの一つを表すように指定することができる。例えば、余分情報ビット００は、発射ビームＩＤの１を表すことができる。電子機器３００Ａが該発射ビームを使用して同期信号を送信する時、該同期信号は余分情報ビット００を含むことができる。このように、電子機器３００Ｂは、同期信号を受信した時、同期信号中の余分ビット００に基づいて、該同期信号の発射に使用される発射ビームＩＤが１であることを確定することができる。このような実施例において、類似に基地局と端末機器が、余分ビットと発射ビームとの対応関係について協商一致にすることができる必要がある。
【００９４】
一つの実施例において、同期信号が位置する時間ウィンドウ／時間パラメータによって発射ビームＩＤを表すことができる。例えば、電子機器３００Ｂは、整合した発射ビームが送信する同期信号の時間パラメータと発射ビーム配置（即ち発射ビームの数と繰り返し回数）に基づいて、整合した発射ビームの発射ビームＩＤを確定することができる。具体的な例示は、図７Ａの説明を参照することができる。
【００９５】
各実施例において、端末機器は、整合した発射ビームの発射ビームＩＤを確定した後、様々な適当な方式で該発射ビームＩＤを基地局にフィードバックすることができる。例えば、図９の処理を介して二つの基地局の間に二重接続を確立し、且つ該基地局を副ノードとし、他の基地局を主ノードとした後、端末機器は主ノードを介して発射ビームＩＤを該基地局に提供することができる。
【００９６】
幾つかの例によると、暗示的な又は明示的な方式で整合した基地局側の発射ビームを指示することで、それを基地局にフィードバックすることができる。幾つかの例によると、明示的な方式として、端末機器から基地局へのフィードバックにおいて、附加のビットで発射ビームＩＤを指示することができる。幾つかの例によると、暗示的な方式として、特定の送信時間ウィンドウに従ってフィードバックを行うことができ、送信時間ウィンドウとビームとの間の対応関係に基づいて、発射ビームを知ることができる。
【００９７】
このフィードバックは、端末機器が行うランダムアクセス過程に含むことができる。もちろん、幾つかの実施例によると、基地局側の発射ビームのフィードバックは、ランダムアクセスプリアンブルと分離に送信されて良く、例えばランダムアクセスプリアンブルの前又はの後に送信されることができる。後に、ランダムアクセス過程を結合してこのフィードバック操作を詳細に説明する。
【００９８】
（例示的な方法）
図１２Ａは、本開示の実施例による通信に用いられる例示的な方法を示す。図１２Ａに示すように、該方法１２００Ａは、発射ビーム配置に基づいて異なる発射ビームを利用して端末機器に同期信号を繰り返し送信することを含むことができ、該同期信号は該同期信号を送信するために使用される発射ビーム情報を含む（枠１２０５）。該方法は、更に、端末機器からのフィードバックを獲得することを含み、該フィードバックは、発射ビームの管理に用いられるように発射ビーム情報を含む（枠１２１０）。該方法は、電子機器３００Ａによって実行されることができ、該方法の詳細の例示操作は、前記の電子機器３００Ａが実行する操作と機能についての説明を参照することができ、簡単の説明は以下のようである。
【００９９】
一つの実施例において、端末機器がフィードバックする発射ビーム情報に対応する発射ビームは、端末機器との受信整合度が最も高い発射ビームである。
【０１００】
一つの実施例において、発射ビーム配置は、基地局が同期信号の送信に使用可能な複数の発射ビームの数及び発射ビーム毎を連続に使用して送信する回数を指定し、該方法は、更に、複数の発射ビームにおける発射ビーム毎を使用して同期信号を送信し、且つ発射ビーム毎を該回数までに連続使用して同期信号を送信することを含む。
【０１０１】
一つの実施例において、発射ビーム配置は、基地局が同期信号の送信に使用可能な異なる等級の発射ビームの数と異なる等級の発射ビーム毎を連続に使用して送信する回数を指定し、該方法は、更に、異なる等級の発射ビーム毎を使用して同期信号を送信し、且つ発射ビーム毎を該回数までに連続使用して同期信号を送信することを含む。
【０１０２】
一つの実施例において、発射ビーム配置は、更に、基地局側発射ビームと複数の同期信号時間ウィンドウとの対応関係を含み、該方法は、更に、発射ビームと複数の同期信号時間ウィンドウとの対応関係に基づいて発射ビームを使用して同期信号を送信することを含む。
【０１０３】
一つの実施例において、該方法は、更に、発射ビーム配置を二重接続によって共に端末機器をサービスする他の基地局に伝達することを含み、発射ビーム配置は該他の基地局によって端末機器に指示される。
【０１０４】
一つの実施例において、該他の基地局は、該無線通信システムの基地局であり、又は該無線通信システムの前世代無線通信システムの基地局である。
【０１０５】
一つの実施例において、該無線通信システムは５Ｇシステムであり、前世代無線通信システムはＬＴＥシステムである。
【０１０６】
一つの実施例において、異なるタイプの連続的な同期信号は同期信号ブロックを形成し、複数の連続的な同期信号ブロックは同期信号バーストを形成する。
【０１０７】
一つの実施例において、発射ビーム情報は発射ビームＩＤを含み、且つ同期信号は以下の一つによって発射ビームＩＤを指示し：同期信号は同期系列を含み、該同期系列自身は発射ビームＩＤを表し、同期系列の外に、同期信号は余分な情報ビットも含み、該余分な情報ビットは発射ビームＩＤを表し、又は同期信号が位置する時間パラメータ。
【０１０８】
一つの実施例において、整合度が最も高い発射ビームによって送信した同期信号の時間パラメータと発射ビーム配置に基づいて、整合度が最も高い発射ビームの発射ビーム情報を確定する。
【０１０９】
一つの実施例において、時間パラメータは、ＯＦＤＭ符号インデックス、ラジオフレームにおけるタイムスロットインデックス及びラジオフレーム番号を含む。
【０１１０】
一つの実施例において、同期信号は主同期信号ＰＳＳと副同期信号ＳＳＳを含み、又は主同期信号ＰＳＳ、副同期信号ＳＳＳと第三の同期信号ＴＳＳを含む。
【０１１１】
一つの実施例において、異なるタイプの同期信号の時間領域又は周波数領域における相対位置によってシステム情報を表し、システム情報は、無線通信システムの複信タイプ、又は異なるサイクルプレフィックス長さの少なくとも一つを含む。
【０１１２】
図１２Ｂは、本開示の実施例による通信に用いられる他の一つの例示的な方法を示す。図１２Ｂに示すように、該方法１２００Ｂは、無線通信システムの基地局側の発射ビーム配置に基づいて同期信号を受信することを含むことができ、同期信号は、基地局が該同期信号を送信するために使用される発射ビーム情報を含む（枠１２５０）。該方法は、更に、フィードバックを基地局に提供することを含み、該フィードバックは、基地局により発射ビームの管理に用いるように発射ビーム情報を含む（枠１２５５）。該方法は、電子機器３００Ｂによって実行されることができ、該方法の詳細の例示操作は、前記の電子機器３００Ｂが実行する操作と機能についての説明を参照することができ、簡単の説明は以下のようである。
【０１１３】
一つの実施例において、フィードバックされる発射ビーム情報に対応する発射ビームは、端末機器との受信整合度が最も高い発射ビームである。
【０１１４】
一つの実施例において、発射ビーム配置は、基地局が同期信号の送信に使用可能な複数の発射ビームの数及び発射ビーム毎を連続に使用して送信する回数を指定し、該方法は、更に、基地局が発射ビーム毎を該回数で連続使用する送信におけるそれぞれの送信に、異なる受信ビームを使用して同期信号を受信することを含む。
【０１１５】
一つの実施例において、発射ビーム配置は、基地局が同期信号の送信に使用可能な異なる等級の発射ビームの数と異なる等級の発射ビーム毎を連続に使用して送信する回数を指定し、該方法は、更に、基地局が発射ビーム毎を該回数で連続使用する送信におけるそれぞれの送信に、異なる受信ビームを使用して同期信号を受信することを含む。
【０１１６】
一つの実施例において、発射ビーム配置は基地局側発射ビームと複数の同期信号時間ウィンドウとの対応関係も含む。
【０１１７】
一つの実施例において、該方法は、更に、二重接続によって該基地局と共に端末機器をサービスする他の基地局から発射ビーム配置を獲得することを含む。
【０１１８】
一つの実施例において、該他の基地局は、該無線通信システムの基地局であり、又は該無線通信システムの前世代無線通信システムの基地局である。
【０１１９】
一つの実施例において、該無線通信システムは５Ｇシステムであり、前世代無線通信システムはＬＴＥシステムである。
【０１２０】
一つの実施例において、端末機器又は電子機器３００Ｂは、オムニアンテナを含むことができ、該方法は、更に、異なる受信ビームを使用して同期信号を受信する前、ビームフォーミングを使用しないで同期信号を受信することで基地局側の発射ビーム配置を獲得することを含む。
【０１２１】
一つの実施例において、発射ビーム情報は発射ビームＩＤを含み、該方法は、更に、同期信号から発射ビームＩＤを獲得し、且つ同期信号は以下の一つによって発射ビームＩＤを指示することを含み：同期信号は同期系列を含み、該同期系列自身は発射ビームＩＤを表し、同期系列の外に、同期信号は余分な情報ビットも含み、該余分な情報ビットは発射ビームＩＤを表し、又は同期信号が位置する時間パラメータ。
【０１２２】
一つの実施例において、該方法は、更に、整合度が最も高い発射ビームによって送信した同期信号の時間パラメータと発射ビーム配置に基づいて、整合度が最も高い発射ビームの発射ビーム情報を確定することを含む。
【０１２３】
一つの実施例において、時間パラメータは、ＯＦＤＭ符号インデックス、ラジオフレームにおけるタイムスロットインデックス及びラジオフレーム番号を含む。
【０１２４】
一つの実施例において、同期信号は主同期信号ＰＳＳと副同期信号ＳＳＳを含み、又は主同期信号ＰＳＳ、副同期信号ＳＳＳと第三の同期信号ＴＳＳを含む。
【０１２５】
一つの実施例において、該方法は、更に、異なるタイプの同期信号の時間領域又は周波数領域における相対位置からシステム情報を獲得することを含み、該システム情報は、無線通信システムの複信タイプ、又は異なるサイクルプレフィックス長さの少なくとも一つを含む。
【０１２６】
（基地局側に用いられる他の電子機器の例）
図１３は、本開示の実施例による基地局側に用いられる例示的な電子機器を示し、そのうちに該基地局は様々な無線通信システムに使用されることができる。図１３に示す電子機器１３００Ａは、様々な手段を含んで本開示の操作又は機能を実現することができる。図１３に示すように、電子機器１３００Ａは、例えば発射ビーム配置の受信手段１３６０と発射ビーム配置の提供手段１３７０を含むことができる。幾つかの実施例において、発射ビーム配置の受信手段１３６０は、他の基地局からの発射ビーム配置を受信するように配置されることができ、該他の基地局は発射ビーム配置に基づいて端末機器へ同期信号を送信する。発射ビーム配置の提供手段１３７０は、端末機器が発射ビーム配置に基づいて基地局からの信号を受信するように、端末機器へ発射ビーム配置を提供するように配置されることができる。
【０１２７】
一つの例において、電子機器１３００Ａは、上記他の基地局と共に同一の無線通信システムに使用されることができ、又は上記他の基地局の前世代の無線通信システムに使用されることができる。例えば、電子機器１３００Ａは、ＬＴＥ  ｅＮＢに使用されることができ、上記他の基地局は、５Ｇ基地局、例えばＮＲシステムにおけるｇＮＢであることができる。一つの実施方式によると、電子機器１３００Ａは、例えば、図９における第一の基地局であることができ、上記他の基地局は、図９における第二の基地局であることができる。
【０１２８】
（同期信号ビームスイープの例示的な応用）
本開示の一つの実施例によると、同期過程とデータ通信過程にわたって等級付けの発射ビームフォーミングを行うことができる。一つの例において、同期過程において第一の等級の発射ビームスイープを行い、整合した第一の等級の発射ビームを確定することができる。基地局は、整合した第一の等級の発射ビームを獲得した後、データ通信過程において該第一の等級の発射ビームにおける第二の等級の発射ビームを使用して参照信号（例えばＣＳＩ−ＲＳ）を送信することで、整合した第二の等級の発射ビームを確定してデータ通信に使用することができる。図１４は、本開示の実施例による例示的な等級付けの発射ビームスイープ処理フローを示す。図１４に示すように、１４６１において、基地局は、第一の等級の発射ビームスイープによって同期信号を送信することができる。１４６２において、端末機器は、同期信号を受信し、下りリンクタイミングに同期して、自身と（受信ビームフォーミングを使用して又は使用しなくて）整合した第一の等級の発射ビームを獲得する。次に、１４６３と１４６４において、ランダムアクセス過程を実行し、且つ端末機器は基地局へ整合した第一の等級の発射ビームをフィードバックする。前記のように、該フィードバックは、様々な適当な方式に基づいて行われることができる。一つの実現方式において、ランダムアクセス過程によって整合したビームのフィードバックを行うことができる。１４６５において、基地局は、整合した第一の等級の発射ビーム、例えばTX_Bmを記録、維持する。次は、データ通信過程である。１４６６において、基地局が第一の等級の発射ビームTX_Bmと端末機器が整合したことを知るので、TX_Bmにおける第二の等級の発射ビームによってＣＳＩ−ＲＳを送信することができる。１４６７において、端末機器は、ＣＳＩ−ＲＳを受信し、自身と整合した第二の等級の発射ビームを獲得する。１４６８において、端末機器は、基地局へ整合した第二の等級の発射ビームをフィードバックする。１４６９において、基地局は、整合した第二の等級の発射ビーム、例えばTX_Bm,jを記録、維持する。その後、基地局は、発射ビームTX_Bm,jを使用して、該端末機器とデータ通信を行うことができる。
【０１２９】
伝統的にデータ通信過程において等級付けの発射ビームスイープを行うことで整合した第二の等級の発射ビームを確定する方式と比べて、図１４の例示処理は、同期過程における第一の等級の発射ビームスイープの結果を利用し、且つデータ通信過程において直接に第二の等級の発射ビームスイープを行うので、データ通信過程においてビームスイープを行う訓練コストを節約することができる。
【０１３０】
以下、図１５Ａから図２３Ｂを参照して本開示による第二の全体的な側面を説明し、それは主に本開示の実施例によるランダムアクセス過程を開示する。幾つかの実施例によると、端末機器側からビームフォーミングによって基地局側へランダムアクセス信号を送信し、基地局は、該ランダムアクセス信号を受信し、且つ基地局が同期信号を送信する時に使用された発射ビームの情報を獲得する。これにより、基地局は、特定な端末機器に適当する発射ビームと受信ビーム情報を獲得して、後続の通信に使用されることができる。一つの例によると、ランダムアクセスが成功した場合に、基地局は、端末機器へ上りリンクにおいて基地局と整合した発射ビームを報告する。幾つかの実施例によると、本開示の第二側面の操作は、基地局側と端末機器側の電子機器によって実行されることができる。以下、本開示の第二側面の操作を詳細に説明する。
【０１３１】
（端末機器側に用いられる電子機器の例）
図１５Ａは、本開示の実施例による端末機器側に用いられる例示的な電子機器を示し、そのうちに該端末機器は様々な無線通信システムに使用されることができる。図１５Ａに示す電子機器１５００Ａは、様々な手段を含んで本開示の第二の全体的な側面を実現することができる。図１５Ａに示すように、一つの実施例において、電子機器１５００Ａは、ＰＲＡＣＨ配置獲得手段１５０５とＰＲＡＣＨ送信手段１５１０を含むことができる。一つの実施方式によると、電子機器１５００Ａは、例えば図１における端末機器１１０又は端末機器１１０の一部であることができる。以下、端末機器を参照して説明した様々な操作は、いずれも電子機器１５００Ａの手段１５０５、１５１０又は他の手段によって実現されることができる。
【０１３２】
幾つかの実施例において、ＰＲＡＣＨ配置獲得手段１５０５は、ランダムアクセス配置情報を獲得するように配置されることができる。例えば、端末機器側が下りリンクセルの同期を獲得した後、電子機器１５００Ａ（例えば手段１５０５）は、報知用のチャネルによって下りリンクフレームにおける適当な位置にランダムアクセス配置情報を獲得することができる。また例えば、端末機器は、二重接続の主基地局によって副基地局のランダムアクセス配置情報を獲得する。ランダムアクセス配置情報は、各端末機器のランダムアクセスプリアンブル（ｐｒｅａｍｂｌｅ）の送信が許可される時間領域・周波数領域リソース、即ち物理ランダムアクセスチャネル（ＰＲＡＣＨ）を含むことができる。一つの実施例において、ランダムアクセス配置情報は、基地局側受信ビームと時間領域リソース（時間ウィンドウ）との対応関係を含んでも良く、例えば具体的な説明は以下のようである。
【０１３３】
幾つかの実施例において、ＰＲＡＣＨ送信手段１５１０は、ランダムアクセス配置情報（例えば時間領域・周波数領域リソース）に基づいてランダムアクセスプリアンブルを送信して、下りリンクにおいて端末機器側の一つ又は複数の受信ビームと整合した基地局側の一つ又は複数の発射ビームを指示するように配置されることができる。一つの実施例において、これらの整合した基地局側の一つ又は複数の発射ビームは、端末機器が同期信号の受信に基づいて確定したものであり、例えば本願の第一の側面において既に説明したようである。ランダムアクセスプリアンブルを送信することで整合した発射ビームを指示することは、端末機器が整合した発射ビームをフィードバックする一つの可能の方式として使用されることができる。
【０１３４】
（基地局側に用いられる電子機器の例）
図１５Ｂは、本開示の実施例による基地局側に用いられる例示的な電子機器を示し、そのうちに該基地局は様々な無線通信システムに使用されることができる。図１５Ｂに示す電子機器１５００Ｂは、様々な手段を含んで本開示の第二の全体的な側面を実現することができる。図１５Ｂに示すように、電子機器１５００Ｂは、例えばＰＲＡＣＨ配置提供手段１５１５とＰＲＡＣＨ受信手段１５２０を含むことができる。一つの実施方式によると、電子機器１５００Ｂは、例えば、図１における基地局１２０又は基地局１２０の一部でも良く、基地局を制御するための機器（例えば基地局コントローラ）又は基地局に用いられる機器又はそれらの一部でも良い。以下基地局を参照して説明した様々な操作は、いずれも電子機器１５００Ｂの手段１５１５、１５２０又は他の手段によって実現されることができる。
【０１３５】
幾つかの実施例において、ＰＲＡＣＨ配置提供手段１５１５は、ランダムアクセス配置情報を送信するように配置されることができる。例えば、電子機器１５００Ｂ（例えば手段１５１５）は、下りリンクフレームにおける適当な位置にシステム情報を報知することができ、システム情報にランダムアクセス配置情報を含むことができる。ランダムアクセス配置情報は、前記のように手段１５０５を参照して説明したものであって良い。
【０１３６】
幾つかの実施例において、ＰＲＡＣＨ受信手段１５２０は、端末機器から送信されたランダムアクセスプリアンブルを受信して、下りリンクにおいて端末機器側の一つ又は複数の受信ビームとペアリングした基地局側の一つ又は複数の発射ビームを獲得するように配置されることができる。一つの実施例において、これらの整合した基地局側の一つ又は複数の発射ビームは、端末機器が同期信号の受信に基づいて確定したものである。
【０１３７】
（ランダムアクセス配置情報）
ランダムアクセス配置情報は、各端末機器のランダムアクセスプリアンブル（ｐｒｅａｍｂｌｅ）の送信が許可される時間領域・周波数領域リソースを含むことができる。一つの実施例において、ランダムアクセス配置情報は、更に基地局側受信ビームと複数のランダムアクセス時間ウィンドウとの対応関係を含むことができる。該対応関係は、（例えば以下の説明のように）一般的に基地局側の受信ビーム配置によって指定されるものであるが、ランダムアクセス配置情報によって端末機器に送信されることができる。
【０１３８】
幾つかの実施例において、ランダムアクセス配置情報は他の情報を含んでも良い。例えば、ランダムアクセス配置情報は、ビーム対称性の指示情報、例えば一つのビットを含んでも良い。例えば、ビーム対称性を有す場合に、該ビット値は１であり、ビーム対称性を有しない場合に、該ビット値は０である。一つの例によると、ビーム対称性を有しない場合に、ランダムアクセス配置情報は、基地局側の受信ビーム配置を代わりに含み、又は附加に含むことができ、これにより、端末機器が基地局側の該受信ビーム配置を知る。
【０１３９】
幾つかの実施例において、上記他の情報及び基地局側受信ビームと複数のランダムアクセス時間ウィンドウとの対応関係は、他の方式で端末機器に送信されても良く、例えば二重接続の方式であっても良い。
【０１４０】
（ランダムアクセス時間ウィンドウとランダムアクセスプリアンブル）
一般的に、ランダムアクセスプリアンブルは、上りリンクフレームにおける特定の時間ウィンドウに送信されることができ、これら時間ウィンドウは、一定の時間周期又は時間モードで配列されることができる。これらの時間ウィンドウは、ランダムアクセス信号の特定の送受信タイミング（ｏｃｃａｓｉｏｎ）に対応することができる。本開示の実施例において、基地局側がビームフォーミングを使用してランダムアクセスプリアンブルを受信するので、更に多いランダムアクセス時間ウィンドウを使用して、受信ビームスイープ、即ち、１）複数の異なるビームを使用して受信し、及び２）シングルのビームを使用して繰り返し受信することに用いる必要がある。幾つかの実施例において、一つのフレーム内又は複数のフレームにわたって連続的なランダムアクセス時間ウィンドウを配列することができる。相応する一つの例は、図１６を参照する。図１６に示すように、複数のランダムアクセス時間ウィンドウ１６５０から１６６１は、時間領域に連続して、一つの比較的に大きいランダムアクセス時間ウィンドウ１６８０を形成することができる。ランダムアクセス時間ウィンドウ１６５０から１６６１は、基本ランダムアクセスリソースと呼んでも良い。ＬＴＥシステムにおけるフレーム構成を例として、基本ランダムアクセスリソースは、周波数帯域中心の幾つか（例えば６個）のリソースブロックに対応することができ、システム配置に応じて、その長さは１ｍｓ、２ｍｓ又は３ｍｓであることができる。比較的に大きいランダムアクセス時間ウィンドウ１６８０は、一定の周期で配列されることができる。ランダムアクセス時間ウィンドウ１６８０を形成する一つの目的は、基地局が該比較的に大きい時間ウィンドウ内に全体の受信ビームスイープを完成することができる。
【０１４１】
幾つかの実施例において、ランダムアクセス時間ウィンドウは、上りリンクフレームの特定の時間パラメータに対応するように指定されることができる。例えば、ランダムアクセス時間ウィンドウのフレーム番号、サブフレーム番号、タイムスロットインデックス及び／又は符号インデックスを指定することができる。幾つかの実施例において、端末機器は、時間パラメータに基づいてランダムアクセス時間ウィンドウを認識することで、選択的にランダムアクセス時間ウィンドウにランダムアクセスプリアンブルを送信することができる。
【０１４２】
図１６に示すように、ランダムアクセスプリアンブル（例えばランダムアクセスプリアンブル１６７０）は、ランダムアクセス時間ウィンドウ１６５０から１６６１のいずれかに送信されることができる。幾つかの実施例において、ランダムアクセスプリアンブルは、サイクルプレフィックスとランダムアクセス系列を含むことができ、該ランダムアクセス系列は、例えばＺａｄｏｆｆ−Ｃｈｕ系列であることができる。幾つかの実施例において、ランダムアクセスプリアンブルは、余分な情報ビットを含んでも良い。本開示の実施例によると、ランダムアクセスプリアンブルは、端末機器と整合した基地局側の一つ又は複数の発射ビームを指示するために使用されることができる。例えば、ランダムアクセス系列又は余分な情報ビットは、上記整合した基地局側発射ビームを指示するために使用されることができる。
【０１４３】
（基地局側の受信ビーム配置）
受信ビームフォーミングにおいて、基地局側の複数の受信ビームの繰り返しモードは、受信ビーム配置によって表すことができる。幾つかの実施例において、基地局は、該受信ビーム配置に基づいて各端末機器からのランダムアクセスプリアンブルを受信することができ、一方、端末機器は、例えば端末機器が発射ビームフォーミングを使用することで送信を行う時に、該受信ビーム配置に基づいてランダムアクセスプリアンブルを送信する可能性がある。一般的に、受信ビームの繰り返しモードを表すために、受信ビーム配置は、少なくとも２つの側面の情報、即ち受信ビームの数及び受信ビーム毎を繰り返し使用して（例えばランダムアクセスプリアンブルを）受信の回数、を含む又は指示することができる。
【０１４４】
幾つかの実施例において、受信ビーム配置は、基地局のランダムアクセスプリアンブルの受信に使用可能な受信ビームの数及び受信ビーム毎を連続使用する回数を指定することができる。図１７Ａは、本開示の実施例による基地局側の例示的な受信ビーム配置を示す。図１７Ａに示すように、受信ビーム配置１７００Ａは、基地局側に４個の受信ビームであるRX_B1からRX_B4が、ランダムアクセスプリアンブルの受信に用いられることを指定し、且つ受信ビーム毎を３回連続使用して該受信を行うことができる。上記発射ビーム配置の例と類似に、Ｎ個×Ｍ回の形式で受信ビーム配置を表すことができる。例えば、受信ビーム配置１７００Ａは４個×３回の配置と呼ぶことができる。該受信ビーム配置は例示だけである。各実施例において、受信ビームは任意の複数個であることができ、繰り返し回数は、任意の回数であっても良い。
【０１４５】
相応する実施例において、電子機器１５００Ｂは、受信ビーム配置に基づいて複数（例えば４個）の受信ビームにおける受信ビーム毎を使用してランダムアクセスプリアンブルを受信し、且つ受信ビーム毎を指定された回数（例えば３回）までに連続使用して該受信を行うように配置されることができる。端末機器が発射ビームスイープを使用しないでランダムアクセスプリアンブルを送信すると、電子機器１５００Ａは、全幅のビームだけを使用して基地局へ該送信を行うことができ、端末機器が発射ビームフォーミングを使用する必要があると、電子機器１５００Ａは、異なる発射ビームを使用してランダムアクセスプリアンブルを送信することができ、基地局が受信ビーム配置に基づいて受信を行う。
【０１４６】
幾つかの実施例において、受信ビーム配置は、基地局のランダムアクセスプリアンブルの受信に使用可能な異なる等級の受信ビームの個数と異なる等級の受信ビーム毎を連続使用する回数を指定することができる。図１７Ｂは、本開示の実施例による基地局側の等級付けの受信ビームの場合における例示的な受信ビーム配置を示す。基地局側に４個の第一の等級の受信ビームを有すとし、第一の等級の受信ビーム毎に、２個の第二の等級の受信ビームを有すとする。第一の等級の受信ビーム配置は、例えば図１７Ａに示すことができ、第二の等級の受信ビーム配置は、例えば図１７Ｂに示すことができる。第二の等級の受信ビーム配置１７００Ｂは、８個の第二の等級の受信ビームRX_B1,1からRX_B4,2がランダムアクセスプリアンブルの受信に用いられ、且つ第二の等級の受信ビーム毎を３回連続使用して該受信を行うことができることを指定する。幾つかの場合に、同様に、Ｎ個×Ｍ回の形式で等級付けの受信ビーム配置を表すことができる。例えば、図１７Ｂに、第一の等級の受信ビーム配置を、４個×３回の配置と表すことができ、第二の等級の受信ビーム配置を、２個×３回の配置（ただし“２個”の第二の等級の受信ビームはシングルの第一の等級の発射ビームに対応する）又は８個×３回の配置（ただし“８個”の第二の等級の受信ビームは第一の等級の発射ビーム全体に対応する）と表すことができる。
【０１４７】
相応する実施例において、電子機器１５００Ｂは、異なる等級の受信ビーム毎を使用してランダムアクセスプリアンブルを受信し、且つ受信ビーム毎を指定回数までに連続使用して該受信を行うように配置されることができる。端末機器がビームフォーミングを使用しないでランダムアクセスプリアンブルを送信すると、電子機器１５００Ａは、全幅のビームだけを使用して基地局へ該送信を行うことができ、端末機器が発射ビームフォーミングを使用する必要があると、電子機器１５００Ａは、異なる等級の発射ビームを使用してランダムアクセスプリアンブルを送信するように配置されることができ、基地局が受信ビーム配置に基づいて受信を行う。
【０１４８】
上記実施例において、端末機器がビームスイープを発射する必要がある場合に、電子機器１５００Ａは、例えば以下図１９Ａから図２０Ｂの説明を参照して説明するように、基地局側の受信ビーム配置を既に知る又は知る可能な必要があり、これにより、自身の発射ビーム配列を確定する。
【０１４９】
幾つかの実施例において、受信ビーム配置は、更に、基地局側受信ビームと複数のランダムアクセス時間ウィンドウとの対応関係を指示することができる。一つの例において、受信ビーム配置は、受信ビーム毎の各回の受信と複数のランダムアクセス時間ウィンドウとの対応関係（又は完全の対応関係と呼ぶ）を指示することができる。他の一つの例において、受信ビーム配置は、ある受信ビームの受信と複数のランダムアクセス時間ウィンドウとの対応関係（又は部分の対応関係と呼ぶ）を指示することができる。例えば、１番目の受信ビームRX_B1を使用する第一回の受信が１番目のランダムアクセス時間ウィンドウに対応することを指定することができる。基地局側又は端末機器側は、部分の対応関係に基づいて受信ビームの繰り返しモードを参照して完全の対応関係を確定することができる。このような実施例において、電子機器１５００Ｂは、上記対応関係に基づいて受信ビームRX_B1を使用してランダムアクセスプリアンブルの第一回の受信及び後続の受信を行うことができる。相応に、電子機器１５００Ａは、該対応関係に基づいてランダムアクセスプリアンブルを送信することができる。
【０１５０】
図１８は、本開示の実施例による基地局側受信ビームとランダムアクセス時間ウィンドウとの間の対応関係を示す。図１８は、４個×３回の受信ビーム配置における例示的な対応関係を示す。図１８に示すように、１番目の受信ビームRX_B1を使用する第一回の受信が１番目のランダムアクセス時間ウィンドウに対応する対応関係に基づいて、第一の組の３個のランダムアクセス時間ウィンドウに、共に１番目の受信ビーム（例えばRX_B1）を使用してランダムアクセスプリアンブルを受信する。第二の組の３個のランダムアクセス時間ウィンドウに、共に二番目の受信ビームを使用して受信を行う。次に、第三の組、第四の組のランダムアクセス時間ウィンドウに、それぞれに共に三番目と四番目の受信ビームを使用して受信を行う。注意すべきことは、図１８は、単に例示的なビーム配置の一回のサイクルを示し、後の時間に上記配列を繰り返して、ランダムアクセスプリアンブルを受信することができる。
【０１５１】
幾つかの実施例において、等級付けビームフォーミングにおいて、基地局側受信ビームと複数のランダムアクセス時間ウィンドウとの対応関係は、基地局側の複数の等級の受信ビームと複数のランダムアクセス時間ウィンドウとの対応関係を含むことができる。
【０１５２】
（端末機器側の発射ビーム配列）
上り・下りリンクにおける発射受信ビームが対称性が有す場合に、ランダムアクセスプリアンブルを送信する前（例えば同期信号の受信過程において）、端末機器が既に基地局側の発射ビーム配置を獲得したら、端末機器は、ビーム対称性に基づいて基地局側の受信ビーム配置を確定することができる。この時、端末機器は、図８に示すように自身の受信ビーム配列を確定したら、ビーム対称性におけるいずれかの一側（発射側又は受信側）の受信と発射ビームの対応性に基づいて、直接に自身の発射ビーム配置を確定することができる。すなわち、端末機器は、ビーム対称性の指示だけで自身の発射ビーム配置を確定することができる。
【０１５３】
ビーム対称性を有しない場合に、端末機器は、発射ビームフォーミングを使用してランダムアクセスプリアンブルを送信する必要があったら、基地局側の受信ビーム配置に基づいて自身の発射ビーム配列を確定することができる。この時、基地局は、端末機器へその受信ビーム配置を通知することができる。例えば、図９に示す二重接続によって受信ビーム配置を通知することができる。図９の処理を介して二つの基地局の間に二重接続を確立し、且つ該基地局を副ノードとし、他の基地局を主ノードとした後、端末機器は、主ノードを介して副ノードである基地局の受信ビーム配置を獲得することができる。更に例えば、基地局は、システム情報によってその受信ビーム配置を通知することができる。基地局側の受信ビーム配置を獲得した後、端末機器は、自身の発射ビーム配列を確定することができ、例えば具体的な説明は以下のようである。
【０１５４】
端末機器は、発射ビームフォーミングを使用して又は使用しないでランダムアクセスプリアンブルを送信する可能性がある。図１９Ａは、基地局側の４個×３回の受信ビーム配置における端末機器の例示的な発射ビーム配列を示す。図１９Ａ中の発射ビーム配列１と２は、端末機器が発射ビームフォーミングを使用しないでランダムアクセスプリアンブルを発射する場合に対応する。この時、電子機器１５００Ａは、一般的に発射ビーム配列１を使用して、即ち全幅の受信ビーム（例えばTX_B1）を使用して、発射ビーム毎の各送信を受信することができる。受信ビーム配列１の利点は、例えばランダムアクセスプリアンブルを複数回送信して、ダイバーシチ利得を取得することができることである。電子機器１５００Ａは、基地局側の受信ビーム配置を知る場合に、発射ビーム配列２を使用し、即ち受信ビーム毎の複数回の受信について、全幅の発射ビーム（例えばTX_B1）を使用して一回だけ送信しても良い。発射ビーム配列２の利点は、端末機器の発射リソース（例えばパワー等）の節約及びランダムアクセスリソースの占用の低下が可能で、端末機器の間の衝突を避けることである。
【０１５５】
図１９Ａ中の発射ビーム配列３と４は、それぞれに端末機器が２個又は３個の異なる発射ビームを使用してランダムアクセスプリアンブルを送信する場合に対応する。この時、受信ビーム毎の複数回の受信について、電子機器１５００Ａは、異なる発射ビームを使用して送信を行う必要がある。受信ビーム配列３又は４において、電子機器１５００Ａが基地局側の受信ビーム毎に３回繰り返すことを知るので、この３回の繰り返しにおいて自分の発射ビームを配置して、発射ビーム毎が少なくとも１回使用され、これにより、ビームスイープの目的を実現することができる。図１９Ａは異なる発射ビームの送信の一回のサイクルだけを示し、その後次の一回のサイクルを設置することができる。
【０１５６】
前述の端末機器側の受信ビーム配列の場合と類似に、本開示の元に、当業者は様々な変形した受信ビーム配置を構想してビームスイープを実現することができ、これらの変形は全て本開示の範囲に含む。
【０１５７】
理解されるべきことは、基地局側の等級付けの受信ビーム配置において、図１９Ａが、第一の等級の受信ビーム及び相応する端末機器側の様々な発射ビーム配列を示すと見ることができる。第一の等級のビームの後に、第二の等級のビームを設置することができる。図１９Ｂは、第二の等級の受信ビーム配置及び端末機器の例示的な発射ビーム配列を示す。該等級付けの受信ビーム配置の第一の等級は４個×３回の配置であり、第二の等級の配置は２個×３回の配置である（ただし第一の等級の受信ビーム毎は２個の第二の等級の受信ビームに対応する）（単純化のために、前の二つの第一の等級ビームに対応する第二の等級ビームだけを示す）。一つの例において、図１９Ａに示すように、第一の等級の受信ビームを使用して受信した後、例えば図１９Ｂにおける受信ビーム配置に示すように、次に第二の等級の受信ビームを使用して受信を行うことができる。図１９Ｂにおいて、第一の等級の受信ビーム毎に対応する各第二の等級の受信ビームは、受信ビーム配置において指示した回数までに逐次繰り返す。例えば、第一の等級の受信ビームRX_B1に対応する第二の等級の受信ビームRX_B1,1は、まず３回繰り返し、次にRX_B1,2も３回繰り返することで、１番目の第一の等級の受信ビームRX_B1に対応する第二の等級の発射ビームのスイープを完成する。次に、順番に次の第二の等級の受信ビームに対応する第二の等級の受信ビームのスイープを行う。
【０１５８】
図１９Ａの説明と類似に、図１９Ｂにおいて、発射ビーム配列１と２は、端末機器が発射ビームフォーミングを使用しない場合に対応する。この時、電子機器１５００Ａは、発射ビーム配列１を使用し、即ち全幅の発射ビーム（例えばRX_B1）を使用してランダムアクセスプリアンブルを送信することができる。前記のように、発射ビーム配列１は、ダイバーシチ利得を取得することができる。電子機器１５００Ａが基地局の受信ビーム配置を知る場合に、電子機器１５００Ａは、発射ビーム配列２を使用し、即ち受信ビーム毎の複数回の受信について、全幅の発射ビーム（例えばTX_B1）を使用して一回だけ送信しても良い。受信ビーム配列２の利点は、端末機器の受信リソース（例えばパワー等）の節約及びランダムアクセスリソースの占用の低下が可能で、端末機器の間の衝突を避けることである。
【０１５９】
図１９Ｂ中の発射ビーム配列３と４は、それぞれに端末機器が２個又は３個の異なる発射ビームを使用してランダムアクセスプリアンブルを発射する場合に対応する。この時、第二の等級の受信ビーム毎の複数回の受信について、電子機器１５００Ａは、異なる発射ビームを使用して送信を行う必要がある。そのために、電子機器１５００Ａは、相応の発射ビームを配置するように、基地局の受信ビーム配置を知る必要がある。発射ビーム配列３又は４において、電子機器１５００Ａは、第二の等級の受信ビーム毎が３回繰り返すことが知るので、この３回の繰り返しにおいて自分の発射ビームを配置して、発射ビーム毎が少なくとも１回使用されることで、ビームスイープの目的を実現することができる。図１９Ｂは、異なる第二の等級ビームの送信の一回のサイクルを示す。等級付けのビームスイープの場合に、一回のサイクルの第二の等級ビームスイープを完成した後、次のサイクルの第一の等級ビームスイープ及び第二の等級ビームスイープを行うことができる。本開示の元に、当業者は、様々な変形の発射ビーム配置を構想してビームスイープを実現することができ、これらの変形は全て本開示の範囲に含む。
【０１６０】
（整合した基地局側発射ビームのフィードバック）
以下、本開示の実施例による端末機器が基地局へ整合した基地局側発射ビームをフィードバックする例示操作を説明する。幾つかの実施例において、端末機器側の一つ又は複数の受信ビームとペアリングした基地局側の一つ又は複数の発射ビームは、該端末機器が同期信号の受信に基づいて確定したものである。幾つかの実施例において、端末機器がランダムアクセスプリアンブルを送信することは、下りリンクにおいて端末機器側の一つ又は複数の受信ビームとペアリングした基地局側の一つ又は複数の発射ビームを指示することができる。
【０１６１】
一つの実施例において、ランダムアクセスプリアンブルによって、端末機器側の受信ビームとペアリングした基地局側の一つ又は複数の発射ビームの発射ビームＩＤを指示することができる。例えば、ランダムアクセスプリアンブルは、プリアンブル系列（例えばＺａｄｏｆｆ−Ｃｈｕ系列）を含むことができ、該プリアンブル系列自身は、発射ビームＩＤを表すことができる。これは図１１Ａの例と類似であり、プリアンブル系列を複数の組に分け、同一の組におけるプリアンブル系列毎は、同一の発射ビームを表すことができる。４個×３回の発射ビーム配置について、これらのプリアンブル系列を（例えば平均に）４組に分け、各組における系列は、４個の発射ビームの一つを表すことができる。例えば、第一の組の系列（第１からＮ／４個系列）のいずれか一つは、発射ビームＩＤの１を表すことができる。電子機器１５００Ａは、発射ビームＩＤである１をフィードバックする時、該発射ビームに対応する一つのプリアンブル系列を送信することができる。電子機器１５００Ｂは、第一の組の系列中の一つを受信したと確定した後、整合した発射ビームＩＤが発射ビームＩＤの１であることを確定することができる。もちろん、このような実施例においても、基地局と端末機器が、各組のプリアンブル系列と発射ビームとの対応関係について協商一致にすることができる必要がある（例えば基地局によっていずれかのシグナリングで端末機器に通知する）。
【０１６２】
更に例えば、プリアンブル系列の外に、ランダムアクセスプリアンブルは余分な情報ビットを含んでも良く、該余分な情報ビットは、発射ビームＩＤを表すことができる。一つの例において、ランダムアクセスプリアンブルの１回の送信は、シングルの発射ビームＩＤを指示することができる。図１１Ｂの例を参照して、４個×３回の発射ビーム配置について、余分ビット００、０１、１０、１１がそれぞれに４個の発射ビームの一つを表すことを指定することができる。例えば、余分情報ビット００は、発射ビームＩＤの１を表すことができる。電子機器１５００Ａは、発射ビームＩＤである１をフィードバックする時、余分な情報ビット００を送信することができる。電子機器１５００Ｂは、余分ビット００を受信したと確定した後、整合した発射ビームＩＤが発射ビームＩＤの１であることを確定することができる。このような実施例において、類似に基地局と端末機器が余分ビットと発射ビームとの対応関係について協商一致にすることができる必要がある。一つの例において、ランダムアクセスプリアンブルの１回の送信は、複数の発射ビームＩＤを指示することができる。上記余分情報ビットの数を増加することができ、例えば図１１Ｂの例において、４個のビットを使用して２個の発射ビームＩＤを指示することができる。
【０１６３】
図１９Ａと図１９Ｂに示す端末機器発射ビームの例示的な配列１から４に基づいて、基地局側の受信ビーム毎（例えばRX_B1からRX_B4及び各細ビーム）について、端末機器が共にランダムアクセスプリアンブルを送信することができる。この方式は、上り下りリンクがビーム対称性を有し及び有さない場合に共に適用する。幾つかの実施例において、例えば端末機器が整合した基地局側受信ビームを知る場合に、例えば以下の図２０Ａと２０Ｂを参照して説明するように、端末機器は該整合した受信ビームだけについてランダムアクセスプリアンブルの送信を行う。
【０１６４】
図２０Ａと２０Ｂは、端末機器側の発射ビーム配列に基づいてランダムアクセスプリアンブルを送信する例を示す。図２０Ａと２０Ｂにおける端末機器側の発射ビーム配置は、図１９Ａと１９Ｂと同じであるが、特定の基地局側受信ビームだけに対して、ランダムアクセスプリアンブルを送信する。更に、例えば図においてハッチで表すように、これらの送信は、特定の発射ビームを使用して行うことができる。該方式は、上り下りリンクがビーム対称性を有す場合に適用することができる。この場合に、端末機器が、（例えば同期信号の受信によって確定される）下りリンクにおける整合した発射受信ビームのペアを知ると、上りリンクにおける整合した発射受信ビームのペアを確定して、ランダムアクセスプリアンブルを送信することができる。
【０１６５】
例えば、図２０Ａにおいて、第一の等級のビームスイープについて、端末機器が下りリンクにおいて基地局側発射ビームTX_B1と端末機器側受信ビームRX_B2との整合を確定すると、上りリンクにおいて該端末機器と整合した基地局側受信ビームがRX_B1であることを確定することができ、それは端末機器側発射ビームTX_B2と整合する。相応に、端末機器は、受信ビームRX_B1に対応するランダムアクセス時間ウィンドウだけに、（例えば発射ビームTX_B1からTX_B3を使用して）ランダムアクセスプリアンブルを送信することができる。更に、端末機器は、受信ビームRX_B1に対応するランダムアクセス時間ウィンドウだけに、整合した発射ビームTX_B2を使用して、ランダムアクセスプリアンブルを送信することができる（例えば図においてハッチで表すのようである）。発射ビーム配置１と２について、端末機器が全波発射を使用するので、受信ビームRX_B1に対応するランダムアクセス時間ウィンドウだけに、全波を使用してランダムアクセスプリアンブルを送信することができる。
【０１６６】
図２０Ｂは、図２０Ａに対応する第二の等級のビームスイープの例を示す。第二の等級のビームスイープは、端末機器が下りリンクにおいて基地局側発射ビームTX_B1,2と端末機器側受信ビームRX_B2の整合を確定すると、上りリンクにおいて該端末機器と整合した基地局側受信ビームがRX_B1,2であることを確定することができ、それは端末機器側発射ビームTX_B2と整合する。相応に、端末機器は、受信ビームRX_B1,2に対応するランダムアクセス時間ウィンドウだけに、（例えば発射ビームTX_B1からTX_B3を使用して）ランダムアクセスプリアンブルを送信することができる。更に、端末機器は、受信ビームRX_B1,2に対応するランダムアクセス時間ウィンドウだけに、整合した発射ビームTX_B2を使用して、ランダムアクセスプリアンブルを送信することができる（例えば図においてハッチで表すのようである）。発射ビーム配置１と２について、端末機器が全波発射を使用するので、受信ビームRX_B1,2に対応するランダムアクセス時間ウィンドウだけに、全波を使用してランダムアクセスプリアンブルを送信することができる。
【０１６７】
上記の例において、特定のランダムアクセス時間ウィンドウにランダムアクセスプリアンブルを送信する時、該特定のランダムアクセス時間ウィンドウ自身は、下りリンクにおいて端末機器側の一つ又は複数の受信ビームとペアリングした基地局側の一つ又は複数の発射ビームの発射ビームＩＤを指示することができる。図２１Ａは、本開示の実施例による端末機器がランダムアクセスプリアンブルを送信する例示的な方法を示す。２１０５において、下りリンクにおける整合した基地局側の（一つ又は複数の）発射ビームと端末機器側の（一つ又は複数の）受信ビームを知る場合に、ビーム対称性に基づいて、端末機器は、上りリンクにおける整合した基地局側の（一つ又は複数の）受信ビームと端末機器側の（一つ又は複数の）発射ビームを確定することができる。２１１０において、端末機器は、基地局側の（一つ又は複数の）受信ビームと複数のランダムアクセス時間ウィンドウとの対応関係に基づいて、複数のランダムアクセス時間ウィンドウから、基地局側の（一つ又は複数の）受信ビームに対応する一つ又は複数のランダムアクセス時間ウィンドウを確定することができる。２１１５において、端末機器は、一つ又は複数のランダムアクセス時間ウィンドウの少なくとも一部に、端末機器側の一つ又は複数の発射ビームでランダムアクセスプリアンブルを送信することができる。
【０１６８】
図２１Ｂは、本開示の実施例による基地局がランダムアクセスプリアンブルを受信する例示的な方法を示す。２１５０において、基地局は、基地局側の（一つ又は複数の）受信ビームと複数のランダムアクセス時間ウィンドウとの対応関係に基づいて、基地局側の受信ビームでランダムアクセスプリアンブルを受信することができる。基地局が、ステップ２１１０に確定された、基地局側受信ビームに対応するランダムアクセス時間ウィンドウに、相応のランダムアクセスプリアンブルを受信すべきことを理解することができる。２１５５において、基地局は、基地局側受信ビームとランダムアクセス時間ウィンドウとの対応関係に基づいて、ランダムアクセスプリアンブルを受信した受信ビームを確定することができる。２１６０において、基地局は、ビーム対称性に基づいて、基地局側の受信ビームに対応する発射ビーム、即ち下りリンクにおいて端末機器と整合した発射ビームを確定することができる。
【０１６９】
上記方法の例において、ランダムアクセス時間ウィンドウ自身は一つの発射ビームＩＤを指示することができる。この時、同期系列又は余分情報ビットで同一の整合した発射ビームＩＤを指示して、発射ビームＩＤ検出のロバスト性を増加することができる。又は、同期系列又は余分情報ビットで他の一つの整合した発射ビームＩＤを指示して、ランダムアクセスプリアンブルの１回の送信が、複数の発射ビームＩＤを指示することができる。
【０１７０】
前述の実施例によると、ランダムアクセスプリアンブルの１回の送信は、複数の発射ビームＩＤを指示することができる。代わりに、或いは付加的に、幾つかの実施例において、ランダムアクセスプリアンブルの後続の上りリンクメッセージによって、下りリンクにおいて端末機器側の一つ又は複数の受信ビームとペアリングした基地局側の一つ又は複数の発射ビームを指示することができる。例えば、図１におけるＭＳＧ−３メッセージによって整合した基地局側発射ビームを指示することができる。
【０１７１】
（ランダムアクセスプリアンブルの再送）
幾つかの実施例によると、ランダムアクセスプリアンブルを再送する必要がある場合に、端末機器は、優先に端末機器側の前の発射ビーム方向と最も相関する発射ビームを使用して該再送を行うことができ、そのうちに方向の相関は発射方向が隣接し、又は少なくとも部分が重複することを含む。
【０１７２】
端末機器は、初めにランダムアクセスプリアンブルを送信した後、一定の時間ウィンドウ内に基地局が送信したランダムアクセスレスポンス（Random  Access  Response,  RAR）を待つ。ＲＡＲを受信したら、端末機器は、ランダムアクセスプリアンブルの送信が成功したと認定する。端末機器がＲＡＲ等待時間ウィンドウ内にＲＡＲを受信していないと、図２２に示すように、端末機器は、ランダムアクセスプリアンブルの再送を行う必要がある。幾つかの実施例において、再送過程において、全局ビームスイープによるリソース無駄を避けるために、端末機器は、初めのランダムアクセスプリアンブルの送信に使用される発射ビーム周囲に、再送を行うための発射ビームを選択することができる。該周囲の発射ビームは、初めに使用される発射ビーム方向と最も相関する発射ビームであることができるので、基地局が最適に整合したビームである可能性がある。すなわち、初めに使用される発射ビームの周囲のビームは、例えば図２２に示すように、候補ビーム組（Candidate  Beam  Set）を形成することができると考えられる。ランダムアクセスプリアンブルの再送過程において、徐々にステップサイズに従って送信パワーを端末機器の発射パワーの上限まで向上することができる。端末機器がランダムアクセスプリアンブルを再送した後、まだＲＡＲを受信していないと、ビームスイープの範囲を拡大して送信を行うことができる。その後、端末機器がＲＡＲを受信するまで、該過程を繰り返す。
【０１７３】
本開示の実施例によると、ビームスイープの範囲を拡大してランダムアクセスプリアンブルを送信した後、基地局は、ＲＡＲメッセージで端末機器に上りリンクにおいて基地局と整合した発射ビームを通知することができる。
【０１７４】
（例示的な方法）
図２３Ａは、本開示の実施例による通信に用いられる例示的な方法を示す。図２３Ａに示すように、該方法２３００Ａは、ランダムアクセス配置情報を獲得する（枠２３０５）ことを含むことができる。該方法は、更に、前記ランダムアクセス配置情報に基づいてランダムアクセスプリアンブルを送信し、下りリンクにおいて端末機器側の一つ又は複数の受信ビームとペアリングした基地局側の一つ又は複数の発射ビームを指示する（枠２３１０）ことを含む。該方法は、電子機器１５００Ａによって実行されることができ、該方法の詳細の例示操作は、前記の電子機器１５００Ａが実行する操作と機能についての説明を参照することができ、簡単の説明は以下のようである。
【０１７５】
一つの実施例において、端末機器側の一つ又は複数の受信ビームとペアリングした基地局側の一つ又は複数の発射ビームは、端末機器が同期信号の受信に基づいて確定したものである。
【０１７６】
一つの実施例において、ランダムアクセスプリアンブルは、端末機器側の一つ又は複数の受信ビームとペアリングした基地局側の一つ又は複数の発射ビームの認識情報、例えば発射ビームＩＤを指示する。
【０１７７】
一つの実施例において、ランダムアクセスプリアンブルは、以下の少なくとも一つによって端末機器側の一つ又は複数の受信ビームとペアリングした基地局側の一つ又は複数の発射ビームの発射ビームＩＤを指示し：ランダムアクセスプリアンブルは、プリアンブル系列を含み、該プリアンブル系列自身は発射ビームＩＤを表すこと、ランダムアクセスプリアンブルは更に余分な情報ビットを含み、該余分な情報ビットは発射ビームＩＤを表すこと。
【０１７８】
一つの実施例において、ランダムアクセスプリアンブルの１回の送信は、シングルの発射ビームＩＤ又は複数の発射ビームＩＤを指示することができる。
【０１７９】
一つの実施例において、ランダムアクセス配置情報は、基地局側ビームと複数のランダムアクセスタイミングとの対応関係も含み、該方法は、更に、該対応関係に基づいて端末機器側の異なる発射ビームでランダムアクセスプリアンブルを繰り返し送信すること、又は該対応関係に基づいて端末機器側の一つ又は複数の受信ビームに対応する発射ビームでランダムアクセスプリアンブルを繰り返し送信することを含む。
【０１８０】
一つの実施例において、該方法は、更に、特定のランダムアクセスタイミングに、ランダムアクセスプリアンブルを送信すし、該特定のランダムアクセスタイミングは、下りリンクにおいて端末機器側の一つ又は複数の受信ビームとペアリングした基地局側の一つ又は複数の発射ビームの発射ビームＩＤを指示することを含む。
【０１８１】
一つの実施例において、ランダムアクセス配置情報は、基地局側ビームと複数のランダムアクセスタイミングとの対応関係も含み、基地局と端末機器との間の上り下りリンクがビーム対称性を満足する場合に、該方法は、更に、以下の方式によってランダムアクセスプリアンブルを送信することを含み：ビーム対称性に基づいて、上りリンクにおける整合した基地局側の一つ又は複数の受信ビームと端末機器側の一つ又は複数の発射ビームを確定すること、対応関係に基づいて、複数のランダムアクセスタイミングから基地局側の一つ又は複数のビームに対応する一つ又は複数のランダムアクセスタイミングを確定すること、一つ又は複数のランダムアクセスタイミングの少なくとも一部に、端末機器側の一つ又は複数の発射ビームでランダムアクセスプリアンブルを送信すること。
【０１８２】
一つの実施例において、基地局側ビームと複数のランダムアクセスタイミングとの対応関係は、基地局側の複数の等級のビームと複数のランダムアクセスタイミングとの対応関係を含む。
【０１８３】
一つの実施例において、該方法は、更に、ランダムアクセスプリアンブルの後続の上りリンクメッセージによって、下りリンクにおいて端末機器側の一つ又は複数の受信ビームとペアリングした基地局側の一つ又は複数の発射ビームを指示することを含む。
【０１８４】
一つの実施例において、該方法は、更に、ランダムアクセスプリアンブルを再送する必要がある場合に、優先に端末機器側の前の発射ビーム方向と最も相関する発射ビームを使用して再送を行うことを含み、そのうちに方向の相関は発射方向が隣接し、又は少なくとも部分が重複することを含む。
【０１８５】
一つの実施例において、同期信号は、主同期信号、副同期信号及びＰＢＣＨを含む同期信号ブロックに対応し、該方法は、更に、集中された時間領域上に異なる基地局側発射ビームによって送信した複数の同期信号ブロックを受信し、信号受信品質が予定条件を満足する同期信号ブロックに対応する基地局側発射ビームを端末機器とペアリングした基地局側発射ビームとすることを含む。
【０１８６】
一つの実施例において、該方法は、更に、前記予定条件を満足する同期信号ブロックにおける参照信号系列自身によって、基地局が該同期信号ブロックを送信するために使用される発射ビームを確定することを含む。
【０１８７】
一つの実施例において、該方法は、更に、前記予定条件を満足する同期信号ブロックにおける余分な情報ビットによって、基地局が該同期信号ブロックを送信するために使用される発射ビームを確定することを含む。
【０１８８】
一つの実施例において、該方法は、更に、ラジオリソース制御シグナリングを受信し且つその中から前記ランダムアクセス配置情報を獲得することを含む。
【０１８９】
一つの実施例において、該方法を実行する電子機器は、端末機器として操作することができ、該端末機器は、一つ又は複数のＲＦリンクを含むことができ、ＲＦリンク毎は、複数のアンテナ及びその移相器に接続される。端末機器（例えばその処理回路システム）は、前記複数のアンテナがビームフォーミングによって基地局へ前記ランダムアクセスプリアンブルを送信するように、基地局側ビームと整合したビーム方向に基づいて、前記複数のアンテナの移相器を配置することができる。一つの実施例において、無線通信システムは第五の世代のＮｅｗ  Ｒａｄｉｏ通信システムであり、基地局はｇＮＢである。
【０１９０】
図２３Ｂは、本開示の実施例による通信に用いられる他の一つの例示的な方法を示す。図２３Ｂに示すように、該方法２３００Ｂは、ランダムアクセス配置情報を送信する（枠２３５０）ことを含むことができる。該方法は、更に、端末機器から送信されたランダムアクセスプリアンブルを受信して、下りリンクにおいて端末機器側の一つ又は複数の受信ビームとペアリングした基地局側の一つ又は複数の発射ビームを獲得する（枠２３５５）ことを含む。該方法は、電子機器１５００Ｂによって実行されることができ、該方法の詳細の例示操作は、前記の電子機器１５００Ｂが実行する操作と機能についての説明を参照することができ、簡単の説明は以下のようである。
【０１９１】
一つの実施例において、端末機器側の一つ又は複数の受信ビームとペアリングした基地局側の一つ又は複数の発射ビームは、端末機器が同期信号の受信に基づいて確定したものである。
【０１９２】
一つの実施例において、ランダムアクセスプリアンブルは、端末機器側の一つ又は複数の受信ビームとペアリングした基地局側の一つ又は複数の発射ビームの認識情報、例えば発射ビームＩＤを指示する。
【０１９３】
一つの実施例において、ランダムアクセスプリアンブルは、以下の少なくとも一つによって端末機器側の一つ又は複数の受信ビームとペアリングした基地局側のペアリングした一つ又は複数の発射ビームの発射ビームＩＤを指示し：ランダムアクセスプリアンブルは、プリアンブル系列を含み、該プリアンブル系列自身は発射ビームＩＤを表すこと、ランダムアクセスプリアンブルは余分な情報ビットも含み、該余分な情報ビットは発射ビームＩＤを表すこと。
【０１９４】
一つの実施例において、ランダムアクセスプリアンブルの１回の送信は、シングルの発射ビームＩＤ又は複数の発射ビームＩＤを指示することができる。
【０１９５】
一つの実施例において、ランダムアクセス配置情報は、基地局側ビームと複数のランダムアクセスタイミングとの対応関係も含み、該方法は、更に、対応関係に基づいて基地局側のビームでランダムアクセスプリアンブルを受信することを含む。
【０１９６】
一つの実施例において、該方法は、更に、特定のランダムアクセスタイミングに、ランダムアクセスプリアンブルを受信し、該特定のランダムアクセスタイミングは、下りリンクにおいて端末機器側の一つ又は複数の受信ビームとペアリングした基地局側の一つ又は複数の発射ビームの発射ビームＩＤを指示することを含む。
【０１９７】
一つの実施例において、ランダムアクセス配置情報は、基地局側ビームと複数のランダムアクセスタイミングとの対応関係も含み、基地局と端末機器との間の上り下りリンクがビーム対称性を満足する場合に、該方法は、更に、以下の方式によってランダムアクセスプリアンブルを受信することを含み：対応関係に基づいて基地局側の受信ビームでランダムアクセスプリアンブルを受信すること、ランダムアクセスプリアンブルを受信した受信ビームを確定すること、ビーム対称性に基づいて、基地局側の受信ビームに対応する発射ビームを確定すること。
【０１９８】
一つの実施例において、基地局側ビームと複数のランダムアクセスタイミングとの対応関係は、基地局側の複数の等級のビームと複数のランダムアクセスタイミングとの対応関係を含む。
【０１９９】
一つの実施例において、該方法は、更に、ランダムアクセスプリアンブルの後続の上りリンクメッセージから下りリンクにおいて端末機器側の一つ又は複数の受信ビームとペアリングした基地局側の一つ又は複数の発射ビームを獲得することを含む。
【０２００】
一つの実施例において、同期信号は、主同期信号、副同期信号及びＰＢＣＨを含む同期信号ブロックに対応し、該方法は、更に、集中された時間領域上に異なる基地局側発射ビームによって複数の同期信号ブロックを送信することを含む。
【０２０１】
一つの実施例において、同期信号ブロックは、同期信号ブロックにおける参照信号系列自身によって基地局の該同期信号ブロックの送信に使用される発射ビーム情報を指示する。
【０２０２】
一つの実施例において、同期信号ブロックは余分な情報ビットも含み、該余分な情報ビットによって基地局の該同期信号ブロックの送信に使用される発射ビーム情報を指示する。
【０２０３】
一つの実施例において、該方法は、更に、ラジオリソース制御シグナリングを送信して、端末機器へ前記ランダムアクセス配置情報を送信することを含む。一つの実施例において、無線通信システムは第五の世代のＮｅｗ  Ｒａｄｉｏ通信システムであり、基地局はｇＮＢである。
【０２０４】
幾つかの実施例において、電子機器３００Ａ、３００Ｂ、１３００Ａ、１５００Ａと１５００Ｂ等は、チップレベルで実現されることができ、又は他の外部部材を含んで機器レベルで実現されることもできる。例えば、各電子機器はコンプリートマシンとして通信機器として動作することができる。
【０２０５】
注意すべきことは、上記各手段は、それが実現した具体的な機能に基づいて区分したロジックモジュールだけであり、具体的な実現方式を制限しておらず、例えばソフトウェア、ハードウェア又はソフトウェアとハードウェアの結合の方式で実現されることができる。実際に実現する時、上記各手段は、独立した物理エンティティとして実現されることができ、又はシングルのエンティティ（例えば、プロセッサ（ＣＰＵ又はＤＳＰ等）、集積回路等）によって実現されることもできる。そのうちに、処理回路は、コンピューティングシステムにいて機能を実行するデジタル回路システム、アナログ回路システム又は混合信号（アナログとデジタルの組み合い）回路システムの様々な実現であることができる。処理回路は、例えば集積回路（ＩＣ）、専用集積回路（ＡＳＩＣ）という回路、独立のプロセッサコアの部分又は回路、全体のプロセッサコア、独立のプロセッサ、フィールドプログラマブルゲートアレイ（ＦＰＧＡ）というプログラマブルハードウェア機器、及び／又は複数のプロセッサを含むシステムを含むことができる。
【０２０６】
以上、それぞれに本開示による各例示的な電子機器と方法を説明した。理解すべきことは、これら電子機器の操作又は機能は互いに組み合うことで、前記より多い又は少ない操作又は機能を実現することができる。一つの実施例において、一つの電子機器は、電子機器３００Ａ、１３００Ａと１５００Ｂの全ての操作又は機能を実現することができ、又は一つの電子機器は、電子機器３００Ｂと１５００Ａの全ての操作又は機能を実現することができる。各方法の操作ステップは、いずれかの適当な順序で互いに組み合うことで、類似に前記より多い又は少ない操作を実現することができる。
【０２０７】
例えば、本開示の更に一つの側面によると、無線通信システムに用いられる端末機器側の電子機器は、処理回路システムを含むことができ、前記処理回路システムは、前記無線通信システムにおける基地局から、それぞれに主同期信号、副同期信号及びＰＢＣＨを含む複数の同期信号ブロックを受信して、下りリンク同期を行い、前記複数の同期信号ブロックは異なる基地局側発射ビームによって送信され、且つ同期信号ブロック毎は基地局が該同期信号ブロックを送信するために使用される発射ビーム情報を指示することができ、受信品質に基づいて前記端末機器と整合した同期信号ブロックを確定し、前記基地局へランダムアクセスプリアンブルを送信してランダムアクセス過程を行って、そのうちに、前記ランダムアクセスプリアンブルは、基地局の該整合した同期信号ブロックの送信に使用される発射ビーム情報を指示可能であり、これにより、前記基地局がビーム管理を行う、ように配置される。
【０２０８】
一つの実施例において、前記同期信号ブロックは、同期信号ブロックにおける参照信号系列自身によって基地局の該同期信号ブロックの送信に使用される発射ビーム情報を指示する。
【０２０９】
一つの実施例において、前記同期信号ブロックは余分な情報ビットも含み、該余分な情報ビットによって基地局の該同期信号ブロックの送信に使用されrに発射ビーム情報を指示する。
【０２１０】
一つの実施例において、前記ランダムアクセスプリアンブルのプリアンブル系列は、基地局の該整合した同期信号ブロックの送信に使用される発射ビーム情報を指示する。
【０２１１】
一つの実施例において、複数のプリアンブル系列は、同一の同期信号ブロックの発射ビーム情報を指示するために用いられ、前記電子機器は前記基地局からのシグナリングから、複数のプリアンブル系列と同期信号ブロックの発射ビームとの対応関係を確定する。
【０２１２】
一つの実施例において、前記処理回路システムは、更に、前記基地局からランダムアクセス配置情報を含むラジオリソース制御シグナリングを受信し、前記ランダムアクセス配置情報は基地局側ビームと複数のランダムアクセスタイミングとの対応関係を含み、及び前記ランダムアクセス配置情報に基づいて、特定のランダムアクセスタイミングを選択してランダムアクセスプリアンブルを発射して、基地局の該整合した同期信号ブロックの送信に使用される発射ビーム情報を指示する、ように配置される。
【０２１３】
一つの実施例において、前記処理回路システムは、更に、前記整合した同期信号ブロックに対応する発射ビーム方向上に基地局が発射したＣＳＩ−ＲＳビームを受信し、及び該端末機器と整合したＣＳＩ−ＲＳビーム情報を前記基地局にフィードバックする、ように配置される。
【０２１４】
一つの実施例において、前記処理回路システムは、更に、複数の受信ビームを使用して前記複数の同期信号ブロックを受信し、且つ受信品質に基づいて前記端末機器と整合した受信ビームを確定する、ように配置される。
【０２１５】
一つの実施例において、前記無線通信システムはビーム対称性を有し、前記処理回路システムは、更に、整合した端末機器の受信ビームに対応する端末機器側発射ビームを使用して前記基地局へランダムアクセスプリアンブルを送信する、ように配置される。
【０２１６】
一つの実施例において、前記処理回路システムは、更に、前記ランダムアクセスプリアンブルを送信した後の予定時間内に基地局のランダムアクセスレスポンスを受信していない場合に、前記端末機器側発射ビームの周囲の発射ビームを使用してランダムアクセスプリアンブルを再送する、ように配置される。
【０２１７】
一つの実施例において、前記無線通信システムは５Ｇ  ＮＲシステムであり、前記基地局はｇＮＢであり、前記端末機器はビームフォーミングによって信号を発射するように複数のアンテナを含む。
【０２１８】
例えば、本開示の更に一つの側面によると、無線通信システムに用いられる端末機器側の方法は、前記無線通信システムにおける基地局から、それぞれに主同期信号、副同期信号及びＰＢＣＨを含む複数の同期信号ブロックを受信して、下りリンク同期を行い、前記複数の同期信号ブロックは異なる基地局側発射ビームによって送信され、且つ同期信号ブロック毎は基地局が該同期信号ブロックを送信するために使用される発射ビーム情報を指示することができること、受信品質に基づいて前記端末機器と整合した同期信号ブロックを確定すること、前記基地局へランダムアクセスプリアンブルを送信してランダムアクセス過程を行って、そのうちに、前記ランダムアクセスプリアンブルは、基地局の該整合した同期信号ブロックの送信に使用される発射ビーム情報を指示可能であり、これにより、前記基地局がビーム管理を行うこと、を含む。
【０２１９】
一つの実施例において、前記同期信号ブロックは、同期信号ブロックにおける参照信号系列自身によって基地局の該同期信号ブロックの送信に使用される発射ビーム情報を指示する。
【０２２０】
一つの実施例において、前記同期信号ブロックは余分な情報ビットも含み、該余分な情報ビットによって基地局の該同期信号ブロックの送信に使用される発射ビーム情報を指示する。
【０２２１】
一つの実施例において、前記ランダムアクセスプリアンブルのプリアンブル系列は、基地局の該整合した同期信号ブロックの送信に使用される発射ビーム情報を指示する。
【０２２２】
一つの実施例において、複数のプリアンブル系列は、同一の同期信号ブロックの発射ビーム情報を指示するために用いられ、前記方法は、更に、前記基地局からのシグナリングから、複数のプリアンブル系列と同期信号ブロックの発射ビームとの対応関係を確定することを含む。
【０２２３】
一つの実施例において、前記方法は、更に、前記基地局からランダムアクセス配置情報を含むラジオリソース制御シグナリングを受信し、前記ランダムアクセス配置情報は基地局側ビームと複数のランダムアクセスタイミングとの対応関係を含むこと、前記ランダムアクセス配置情報に基づいて、特定のランダムアクセスタイミングを選択してランダムアクセスプリアンブルを発射して、基地局の該整合した同期信号ブロックの送信に使用される発射ビーム情報を指示すること、を含む。
【０２２４】
一つの実施例において、前記方法は、更に、前記整合した同期信号ブロックに対応する発射ビーム方向上に基地局が発射したＣＳＩ−ＲＳビームを受信すること、該端末機器と整合したＣＳＩ−ＲＳビーム情報を前記基地局にフィードバックすることを含む。
【０２２５】
一つの実施例において、前記方法は、更に、複数の受信ビームを使用して前記複数の同期信号ブロックを受信し、且つ受信品質に基づいて前記端末機器と整合した受信ビームを確定することを含む。
【０２２６】
一つの実施例において、前記無線通信システムはビーム対称性を有し、前記方法は、更に、整合した端末機器の受信ビームに対応する端末機器側発射ビームを使用して前記基地局へランダムアクセスプリアンブルを送信することを含む。
【０２２７】
一つの実施例において、前記方法は、更に、前記ランダムアクセスプリアンブルを送信した後の予定時間内に基地局のランダムアクセスレスポンスを受信していない場合に、前記端末機器側発射ビームの周囲の発射ビームを使用してランダムアクセスプリアンブルを再送することを含む。
【０２２８】
例えば、本開示の更に一つの側面によると、無線通信システムに用いられる基地局側の電子機器は、処理回路システムを含み、前記処理回路システムは、異なる基地局側発射ビームを利用して、前記無線通信システムにおける端末機器へ、それぞれに主同期信号、副同期信号及びＰＢＣＨを含む複数の同期信号ブロックを発射して、下りリンク同期に使用され、そのうちに、同期信号ブロック毎は基地局が該同期信号ブロックを送信するために使用される発射ビーム情報を指示することができ、端末機器からのランダムアクセスプリアンブルを受信して端末機器のランダムアクセス過程を補助し、そのうちに、前記ランダムアクセスプリアンブルは該端末機器と整合した同期信号ブロックの発射ビーム情報を指示することができ、前記ランダムアクセスプリアンブルに基づいて、前記端末機器の下りリンク転送に適用する基地局側発射ビームを確定して、ビーム管理を行う、ように配置される。
【０２２９】
一つの実施例において、前記同期信号ブロックは、同期信号ブロックにおける参照信号系列自身によって基地局の該同期信号ブロックの送信に使用される発射ビーム情報を指示し、前記処理回路システムは、更に、前記複数の同期信号ブロックに異なる参照信号系列を設置して異なる発射ビーム情報を指示するように配置される。
【０２３０】
一つの実施例において、前記同期信号ブロックは余分な情報ビットも含み、該余分な情報ビットによって基地局の該同期信号ブロックの送信に使用される発射ビーム情報を指示し、前記処理回路システムは、更に、前記複数の同期信号ブロックに異なる余分情報ビットを設置して異なる発射ビーム情報を指示するように配置される。
【０２３１】
一つの実施例において、前記ランダムアクセスプリアンブルのプリアンブル系列は該端末機器と整合した同期信号ブロックの発射ビーム情報を指示する。
【０２３２】
一つの実施例において、複数のプリアンブル系列は、同一の同期信号ブロックの発射ビーム情報を指示するために用いられ、前記基地局は前記端末機器へシグナリングを送信して、複数のプリアンブル系列と同期信号ブロックの発射ビームとの対応関係を指示する。
【０２３３】
一つの実施例において、前記処理回路システムは、更に、前記端末機器へランダムアクセス配置情報を含むラジオリソース制御シグナリングを送信し、前記ランダムアクセス配置情報は基地局側ビームと複数のランダムアクセスタイミングとの対応関係を含み、前記端末機器が、前記ランダムアクセス配置情報に基づいて、特定のランダムアクセスタイミングを選択してランダムアクセスプリアンブルを発射して、該整合した同期信号ブロックの発射ビーム情報を指示する、ように配置される。
【０２３４】
一つの実施例において、前記処理回路システムは、更に、前記整合した同期信号ブロックに対応する発射ビーム方向上にＣＳＩ−ＲＳビームを発射し、前記端末機器から該端末機器と整合したＣＳＩ−ＲＳビーム情報フィードバックを受信するように配置される。
【０２３５】
一つの実施例において、前記無線通信システムは５Ｇ  ＮＲシステムであり、前記基地局はｇＮＢであり、前記基地局は更にビームフォーミングによって信号を発射するように複数のアンテナを含む。
【０２３６】
例えば、本開示の更に一つの側面によると、無線通信システムに用いられる基地局側の方法は、異なる基地局側発射ビームを利用して、前記無線通信システムにおける端末機器へ、それぞれに主同期信号、副同期信号及びＰＢＣＨを含む複数の同期信号ブロックを発射して、下りリンク同期に使用され、そのうちに、同期信号ブロック毎は基地局が該同期信号ブロックを送信するために使用される発射ビーム情報を指示することができること、端末機器からのランダムアクセスプリアンブルを受信して端末機器のランダムアクセス過程を補助し、そのうちに、前記ランダムアクセスプリアンブルは該端末機器と整合した同期信号ブロックの発射ビーム情報を指示することができること、前記ランダムアクセスプリアンブルに基づいて、前記端末機器の下りリンク転送に適用する基地局側発射ビームを確定して、ビーム管理を行うこと、を含む。
【０２３７】
一つの実施例において、前記同期信号ブロックは、同期信号ブロックにおける参照信号系列自身によって基地局の該同期信号ブロックの送信に使用される発射ビーム情報を指示し、前記方法は、更に、前記複数の同期信号ブロックに異なる参照信号系列を設置して異なる発射ビーム情報を指示することを含む。
【０２３８】
一つの実施例において、前記同期信号ブロックは余分な情報ビットも含み、該余分な情報ビットによって基地局の該同期信号ブロックの送信に使用される発射ビーム情報を指示し、前記方法は、前記複数の同期信号ブロックに異なる余分情報ビットを設置して異なる発射ビーム情報を指示することを含む。
【０２３９】
一つの実施例において、前記ランダムアクセスプリアンブルのプリアンブル系列は該端末機器と整合した同期信号ブロックの発射ビーム情報を指示する。
【０２４０】
一つの実施例において、複数のプリアンブル系列は、同一の同期信号ブロックの発射ビーム情報を指示するために用いられ、前記方法は、更に、前記端末機器へシグナリングを送信して、複数のプリアンブル系列と同期信号ブロックの発射ビームとの対応関係を指示することを含む。
【０２４１】
一つの実施例において、前記方法は、更に、前記端末機器へランダムアクセス配置情報を含むラジオリソース制御シグナリングを送信し、前記ランダムアクセス配置情報は基地局側ビームと複数のランダムアクセスタイミングとの対応関係を含み、前記端末機器は、前記ランダムアクセス配置情報に基づいて、特定のランダムアクセスタイミングを選択してランダムアクセスプリアンブルを発射して、該整合した同期信号ブロックの発射ビーム情報を指示することを含む。
【０２４２】
一つの実施例において、前記方法は、前記整合した同期信号ブロックに対応する発射ビーム方向上にＣＳＩ−ＲＳビームを発射すること、前記端末機器から該端末機器と整合したＣＳＩ−ＲＳビーム情報フィードバックを受信することを含む。
【０２４３】
理解されるべきことは、本開示の実施例による記憶媒体とプログラムプロダクトにおける機器が実行可能な指令は、上記装置の実施例に対応する方法を実行するように配置されることもできるので、ここで詳細に説明されていない内容は、前の相応位置の説明を参照することができ、ここで繰り返し説明しない。
【０２４４】
相応に、上記の機器が実行可能な指令を含むプログラムプロダクトを載置するための記憶媒体も本発明の開示に含まれる。該記憶媒体は、フロッピィディスク、光ディスク、光磁気ディスク、メモリカード、メモリスティック等を含むが、これに限定されない。
【０２４５】
また、上記一連の処理と機器は、ソフトウェア及び／又はファームウェアによって実現されても良い。ソフトウェア及び／又はファームウェアによって実現される場合に、記憶媒体又はネットワークから専用ハードウェア構成を有すコンピュータ、例えば図２４に示す通用パソコン１３００へ、該ソフトウェアを構成するプログラムをインストールし、該コンピュータは、様々なプログラムがインストールされた時、様々な機能等を実行することができる。図２４は、本開示の実施例において採用可能な情報処理機器であるパソコンの例示的な構成を示すブロック図である。一つの例において、該パソコンは、本開示による上記例示的な端末機器に対応することができる。
【０２４６】
図２４において、中央処理手段（ＣＰＵ）１３０１は、リードオンリーメモリ（ＲＯＭ）１３０２に記憶されたプログラム又はストレージ１３０８からランダムアクセスメモリ（ＲＡＭ）１３０３へロードしたプログラムに基づいて、様々な処理を実行する。ＲＡＭ１３０３においても、必要に応じて、ＣＰＵ１３０１が様々な処理等を実行する時に必要なデータを記憶する。
【０２４７】
ＣＰＵ１３０１、ＲＯＭ１３０２とＲＡＭ１３０３はバス１３０４を介して相互に接続される。入力／出力インターフェース１３０５もバス１３０４に接続される。
【０２４８】
キーボード、マウス等を含む入力部分１３０６と、ディスプレイ、例えば陰極管（ＣＲＴ）、液晶ディスプレイ（ＬＣＤ）等と、スピーカ等とを含む出力部分１３０７と、ハードディスク等を含むストレージ１３０８と、ネットワークインターフェースカード、例えばＬＡＮカード、モデム等を含む通信部分１３０９とは、入力／出力インターフェース１３０５に接続される。通信部分１３０９は、ネットワーク、例えばインターネットを介して通信処理を実行する。
【０２４９】
必要に応じて、ドライブ１３１０も入力／出力インターフェース１３０５に接続される。リムーバブルメディア１３１１、例えば磁気ディスク、光ディスク、光磁気ディスク、半導体メモリ等は、必要に応じてドライブ１３１０にインストールされ、それから読み出されたコンピュータプログラムが必要に応じてストレージ１３０８にインストールされる。
【０２５０】
ソフトウェアによって上記系列処理を実現する場合に、ネットワーク、例えばインターネット、又は、記憶媒体、例えばリムーバブルメディア１３１１から、ソフトウェアを構成するプログラムをインストールする。
【０２５１】
当業者が理解すべきことは、このような記憶媒体は、図２４に示すプログラムが記憶される、機器と分離され配布されてユーザへプログラムを提供するリムーバブルメディア１３１１に限定していない。リムーバブルメディア１３１１の例は、磁気ディスク（フロッピィディスク（登録商標）を含み）、光ディスク（光ディスクリードオンリーメモリ（ＣＤ−ＲＯＭ）とデジタルバーサタイルディスク（ＤＶＤ）を含み）、光磁気ディスク（ミニディスク（ＭＤ）（登録商標）を含み）と半導体メモリを含む。又は、記憶媒体は、ＲＯＭ１３０２、ストレージ１３０８に含まれるハードディスク等であることができ、そのうちにプログラムが記憶されており、且つそれらを含む機器と共にユーザに配布される。
【０２５２】
本開示の技術は、様々なプロダクトに応用されることができる。例えば、本開示に言及した基地局は、いずれかのタイプの進化型ノードＢ（ｅＮＢ）、例えばマクロｅＮＢと小型ｅＮＢとして実現されることができる。小型ｅＮＢは、マクロセルより小さいセルをカーバするｅＮＢ、例えばＰｉｃｏｅＮＢ、ＭｉｃｒｏｅＮＢとＨｏｍｅ（Ｆｅｍｔｏ）ｅＮＢであっても良い。代わりに、基地局は、いずれかの他のタイプの基地局、例えばＮｏｄｅＢと基地局発受信台（Base  Transceiver  Station,BTS）として実現されることができる。基地局は、無線通信を制御するように配置される主体（基地局機器とも呼ばれる）及び主体と異なる位置に設けられる一つ或いは複数の遠隔無線ヘッド（Remote  Radio  Head,RRH）を含むことができる。また、以下に説明する様々なタイプの端末は、いずれも一時的に或いは半恒久的に基地局機能を実行することで基地局として働くことができる。
【０２５３】
例えば、本開示に開示した端末機器は、幾つかの例においてユーザ機器とも呼ばれ、移動端末（例えばスマートフォン、タブレットパソコン（ＰＣ）、ノートＰＣ、携帯式ゲーム端末、携帯式／暗号化ドッグツール型移動体ルータとデジタル撮像装置）或いは車載端末（例えばカーナビ機器）として実現されることができる。ユーザ機器は、機器と機器（Ｍ２Ｍ）との通信を実行する端末（機器タイプ通信（ＭＴＣ）端末とも呼ばれる）として実現されることもできる。また、ユーザ機器は、上記端末における端末毎に実装される無線通信モジュール（例えば単チップの集積回路モジュールを含む）であることができる。
【０２５４】
以下、図２５から図２８を参照して本開示の応用の例を説明する。
【０２５５】
［基地局に関する応用の例］
理解されるべきことは、本開示における基地局は、その通常の意味の全幅を持っており、且つ少なくとも無線通信システム又は無線システムの一部として通信を行うように用いられる無線通信局を含む。基地局の例として、例えば、基地局はＧＳＭシステムにおける基地局送受信機（ＢＴＳ）と基地局コントローラ（ＢＳＣ）の一方又は両方であることができ、ＷＣＤＭＡシステムにおけるラジオネットワークコントローラ（ＲＮＣ）とＮｏｄｅ  Ｂの一方又は両方であることができ、ＬＴＥとＬＴＥ−ＡｄｖａｎｃｅｄシステムにおけるｅＮＢであることができ、又は未来通信システムにおける対応するネットワークノード（例えば５Ｇ通信システムにおいて現れる可能性があるｇＮＢ、ｅＬＴＥ  ｅＮＢ等）であることができるが、これに限定されていない。本開示の基地局中の一部の機能は、Ｄ２Ｄ、Ｍ２Ｍ及びＶ２Ｖ通信のシーンに通信に対して制御機能を有すエンティティとして実現されてもよく、又はコグニティブラジオ通信シーンにスペクトル調整の機能としてのエンティティとして実現されてもよい。
【０２５６】
（第一の応用の例）
図２５は、本開示内容の技術を応用可能なｇＮＢの例示的な配置の第一の例を示すブロック図である。ｇＮＢ１４００は、複数のアンテナ１４１０及び基地局機器１４２０を含む。基地局機器１４２０と各アンテナ１４１０は、ＲＦケーブルを介して相互に接続されることができる。一つの実現方式において、ここのｇＮＢ１４００（又は基地局機器１４２０）は、上記電子機器３００Ａ、１３００Ａ及び／又は１５００Ｂに対応することができる。
【０２５７】
アンテナ１４１０のそれぞれは、一つ或いは複数のアンテナ素子（例えば多入力多出力（ＭＩＭＯ）アンテナに含まれる複数のアンテナ素子）を含み、且つ基地局機器１４２０が無線信号に対して送信と受信を行うために用いられる。図２５に示すように、ｇＮＢ１４００は、複数のアンテナ１４１０を含むことができる。例えば、複数のアンテナ１４１０は、ｇＮＢ１４００が使用する複数の周波数帯と兼用することができる。
【０２５８】
基地局機器１４２０は、コントローラ１４２１、メモリ１４２２、ネットワークインターフェース１４２３及び無線通信インターフェース１４２５を含む。
【０２５９】
コントローラ１４２１は、例えばＣＰＵ或いはＤＳＰであり、且つ基地局機器１４２０の比較的に高い層の様々な機能を操作することができる。例えば、コントローラ１４２１は、無線通信インターフェース１４２５によって処理される信号におけるデータに基づいて、データパケットを生成し、ネットワークインターフェース１４２３を介して生成されたパケットを伝達する。コントローラ１４２１は、複数のベースバンドプロセッサからのデータに対してバンドルを行ってバンドルパケットを生成し、生成されたバンドルパケットを伝達することができる。コントローラ１４２１は、例えば無線資源制御、無線載置制御、移動性管理、収容制御とスケジューリング等の制御を実行するロジック機能を有すことができる。該制御は、付近のｇＮＢ或いはコアネットワークノードを結んで実行されることができる。メモリ１４２２は、ＲＡＭとＲＯＭを含み、且つコントローラ１４２１によって実行されるプログラムと様々なタイプの制御データ（例えば端末リスト、転送パワーデータ及びスケジューリングデータ）を記憶する。
【０２６０】
ネットワークインターフェース１４２３は、基地局機器１４２０をコアネットワーク１４２４に接続するための通信インターフェースである。コントローラ１４２１は、ネットワークインターフェース１４２３を介してコアネットワークノード或いは他のｇＮＢと通信を行うことができる。この場合に、ｇＮＢ１４００とコアネットワークノード或いは他のｇＮＢとは、ロジックインターフェース（例えばＳ１インターフェースとＸ２インターフェース）によって相互に接続されることができる。ネットワークインターフェース１４２３は、有線通信インターフェース或いは無線バックホール回線に用いられる無線通信インターフェースであることもできる。ネットワークインターフェース１４２３が無線通信インターフェースであれば、無線通信インターフェース１４２５によって使用される周波数帯と比べて、ネットワークインターフェース１４２３は、更に高い周波数帯を使用して無線通信に用いることができる。
【０２６１】
無線通信インターフェース１４２５は、いずれかのセルラ通信案（例えば長期進化（ＬＴＥ）とＬＴＥ−Ａｄｖａｎｃｅｄ）を支持し、且つアンテナ１４１０を介してｇＮＢ１４００のセルに位置する端末への無線接続を提供する。無線通信インターフェース１４２５は、通常に、例えばベースバンド（ＢＢ）プロセッサ１４２６とＲＦ回路１４２７を含むことができる。ＢＢプロセッサ１４２６は、例えば符号化／復号、変調／復調及び多重／逆多重を実行することができ、且つ層（例えばＬ１、媒体アクセス制御（ＭＡＣ）、無線リンク制御（ＲＬＣ）とパケットデータコンバージェンスプロトコル（ＰＤＣＰ））の様々なタイプの信号処理を実行することができる。コントローラ１４２１の代わりに、ＢＢプロセッサ１４２６が、上記ロジック機能の一部或いは全部を有すことができる。ＢＢプロセッサ１４２６は、通信制御プログラムを記憶するメモリ、或いはプログラムを実行するように配置されるプロセッサと相関回路を含むモジュールであることができる。更新プログラムは、ＢＢプロセッサ１４２６の機能を変更させることができる。該モジュールは、基地局機器１４２０のスロットに插入されるカード或いはブレードであることができる。代わりに、該モジュールは、カード或いはブレード上に実装されるチップであってもよい。同時に、ＲＦ回路１４２７は、例えばミキサ、フィルタとアンプを含み、且つアンテナ１４１０を介して無線信号に対して転送と受信を行うことができる。図２５に一つのＲＦ回路１４２７と一本のアンテナ１４１０とが接続されている例を示したが、本開示は該図示に限定されておらず、一つのＲＦ回路１４２７は、同時に複数本のアンテナ１４１０に接続されることができる。
【０２６２】
図２５に示すように、無線通信インターフェース１４２５は、複数のＢＢプロセッサ１４２６を含むことができる。例えば、複数のＢＢプロセッサ１４２６は、ｇＮＢ１４００が使用する複数の周波数帯と兼用することができる。図２５に示すように、無線通信インターフェース１４２５は、複数のＲＦ回路１４２７を含むことができる。例えば、複数のＲＦ回路１４２７は、複数のアンテナ素子と兼用することができる。図２５が無線通信インターフェース１４２５が複数のＢＢプロセッサ１４２６と複数のＲＦ回路１４２７を含む例を示したが、無線通信インターフェース１４２５が一つのＢＢプロセッサ１４２６或いは一つのＲＦ回路１４２７を含んでもよい。
【０２６３】
（第二の応用の例）
図２６は、本開示内容の技術を応用可能なｇＮＢの模式的な配置の第二の例を示すブロック図である。ｇＮＢ１５３０は、複数のアンテナ１５４０、基地局機器１５５０とＲＲＨ１５６０を含む。ＲＲＨ１５６０と各アンテナ１５４０は、ＲＦケーブルを介して相互に接続されることができる。基地局機器１５５０とＲＲＨ１５６０は、例えばファイバケーブルの高速回線を介して相互に接続されることができる。一つの実現方式において、ここのｇＮＢ１５３０（又は基地局機器１５５０）は、上記電子機器３００Ａ、１３００Ａ及び／又は１５００Ｂに対応することができる。
【０２６４】
アンテナ１５４０のそれぞれは、一つ或いは複数のアンテナ素子（例えばＭＩＭＯアンテナに含まれる複数のアンテナ素子）を含み、且つＲＲＨ１５６０が無線信号に対して送信と受信を行うために用いられる。図２６に示すように、ｇＮＢ１５３０は、複数のアンテナ１５４０を含むことができる。例えば、複数のアンテナ１５４０は、ｇＮＢ１５３０が使用する複数の周波数帯と兼用することができる。
【０２６５】
基地局機器１５５０は、コントローラ１５５１、メモリ１５５２、ネットワークインターフェース１５５３、無線通信インターフェース１５５５及び接続インターフェース１５５７を含む。コントローラ１５５１、メモリ１５５２及びネットワークインターフェース１５５３は、図２５を参照して説明したコントローラ１４２１、メモリ１４２２及びネットワークインターフェース１４２３と同じである。
【０２６６】
無線通信インターフェース１５５５は、いずれかのセルラ通信案（例えばＬＴＥとＬＴＥ−Ａｄｖａｎｃｅｄ）を支持し、且つＲＲＨ１５６０とアンテナ１５４０を介してＲＲＨ１５６０に対応するセクタに位置する端末への無線通信を提供する。無線通信インターフェース１５５５は、通常に、例えばＢＢプロセッサ１５５６を含むことができる。ＢＢプロセッサ１５５６が接続インターフェース１５５７を介してＲＲＨ１５６０のＲＦ回路１５６４に接続されることを除いて、ＢＢプロセッサ１５５６は、図２５を参照して説明したＢＢプロセッサ１４２６と同じである。図２６に示すように、無線通信インターフェース１５５５は、複数のＢＢプロセッサ１５５６を含むことができる。例えば、複数のＢＢプロセッサ１５５６は、ｇＮＢ１５３０が使用する複数の周波数帯と兼用することができる。図２６に、無線通信インターフェース１５５５が複数のＢＢプロセッサ１５５６を含む例を示したが、無線通信インターフェース１５５５が一つのＢＢプロセッサ１５５６を含んでもよい。
【０２６７】
接続インターフェース１５５７は、基地局機器１５５０（無線通信インターフェース１５５５）をＲＲＨ１５６０に接続するためのインターフェースである。接続インターフェース１５５７は、基地局機器１５５０（無線通信インターフェース１５５５）をＲＲＨ１５６０に接続する上記高速回線における通信に用いられる通信モジュールであることもできる。
【０２６８】
ＲＲＨ１５６０は、接続インターフェース１５６１と無線通信インターフェース１５６３を含む。
【０２６９】
接続インターフェース１５６１は、ＲＲＨ１５６０（無線通信インターフェース１５６３）を基地局機器１５５０に接続するためのインターフェースである。接続インターフェース１５６１は、上記高速回線における通信に用いられる通信モジュールであることもできる。
【０２７０】
無線通信インターフェース１５６３は、アンテナ１５４０を介して無線信号に対して転送と受信を行うことができる。無線通信インターフェース１５６３は、通常に、例えばＲＦ回路１５６４を含むことができる。ＲＦ回路１５６４は、例えばミキサ、フィルタとアンプを含み、且つアンテナ１５４０を介して無線信号に対して転送と受信を行うことができる。図２６に、一つのＲＦ回路１５６４が一本のアンテナ１５４０に接続されるの例を示したが、本開示は該図示に限定されておらず、一つのＲＦ回路１５６４が同時に複数本のアンテナ１５４０に接続されることができる。
【０２７１】
図２６に示すように、無線通信インターフェース１５６３は、複数のＲＦ回路１５６４を含むことができる。例えば、複数のＲＦ回路１５６４は、複数のアンテナ素子を支持することができる。図２６に、無線通信インターフェース１５６３が複数のＲＦ回路１５６４を含む例を示したが、無線通信インターフェース１５６３が一つのＲＦ回路１５６４を含んでもよい。
【０２７２】
［ユーザ機器に関する応用の例］
（第一の応用の例）
図２７は、本開示内容の技術を応用可能なスマートフォン１６００の模式的な配置の例を示すブロック図である。スマートフォン１６００は、プロセッサ１６０１、メモリ１６０２、記憶装置１６０３、外部接続インターフェース１６０４、撮像装置１６０６、センサ１６０７、マイクロホン１６０８、入力装置１６０９、表示装置１６１０、スピーカー１６１１、無線通信インターフェース１６１２、一つ或いは複数のアンテナスイッチ１６１５、一つ或いは複数のアンテナ１６１６、バス１６１７、電池１６１８及び補助コントローラ１６１９を含む。一つの実現方式において、ここのスマートフォン１６００（又はプロセッサ１６０１）は、上記端末機器３００Ｂ及び／又は１５００Ａに対応することができる。
【０２７３】
プロセッサ１６０１は、例えばＣＰＵ或いはシステムオンチップ（ＳｏＣ）であり、且つスマートフォン１６００の応用層と他の層の機能を制御することができる。メモリ１６０２は、ＲＡＭとＲＯＭを含み、且つデータとプロセッサ１６０１によって実行されるプログラムを記憶する。記憶装置１６０３は、記憶媒体、例えば半導体メモリとハードディクス、を含むことができる。外部接続インターフェース１６０４は、外部装置（例えばメモリカードと汎用シリアルバス（ＵＳＢ）装置）をスマートフォン１６００に接続するためのインターフェースである。
【０２７４】
撮像装置１６０６は、画像センサ（例えば電荷結合デバイス（ＣＣＤ）と互補型金属酸化半導体（ＣＭＯＳ））を含み、且つ捕捉画像を生成する。センサ１６０７は、一組のセンサ、例えば計測センサ、ジャイロセンサ、地磁気センサと加速度センサ、を含むことができる。マイクロホン１６０８は、スマートフォン１６００に入力された音をオーディオ信号に変換する。入力装置１６０９は、例えば表示装置１６１０のスクリーン上の接触を検出するように配置された接触センサ、キーパッド、キーボード、ボタン或いはスイッチを含み、且つユーザから入力された操作或いは情報を受信する。表示装置１６１０は、スクリーン（例えば液晶ディスプレイ（ＬＣＤ）と有機発光ダイオード（ＯＬＥＤ）ディスプレイ）を含み、且つスマートフォン１６００の出力画像を表示する。スピーカー１６１１は、スマートフォン１６００から出力されたオーディオ信号を音に変換する。
【０２７５】
無線通信インターフェース１６１２は、いずれかのセルラ通信案（例えばＬＴＥとＬＴＥ−Ａｄｖａｎｃｅｄ）を支持し、且つ無線通信を実行する。無線通信インターフェース１６１２は、通常に、例えばＢＢプロセッサ１６１３とＲＦ回路１６１４を含むことができる。ＢＢプロセッサ１６１３は、例えば符号化／復号、変調／復調及び多重／逆多重を実行することができ、且つ無線通信に用いられる様々なタイプの信号処理を実行することができる。同時に、ＲＦ回路１６１４は、例えばミキサ、フィルタとアンプを含み、且つアンテナ１６１６を介して無線信号に対して転送と受信を行うことができる。無線通信インターフェース１６１２は、ＢＢプロセッサ１６１３とＲＦ回路１６１４が集積された一つのチップモジュールであることができる。図２７に示すように、無線通信インターフェース１６１２は、複数のＢＢプロセッサ１６１３と複数のＲＦ回路１６１４を含むことができる。図２７に、無線通信インターフェース１６１２は複数のＢＢプロセッサ１６１３と複数のＲＦ回路１６１４を含む例を示したが、無線通信インターフェース１６１２は、一つのＢＢプロセッサ１６１３或いは一つのＲＦ回路１６１４を含むこともできる。
【０２７６】
また、セルラ通信案の外に、無線通信インターフェース１６１２は、他のタイプの無線通信案、例えば短距離無線通信案、近接通信案と無線ローカルエリアネットワーク（ＬＡＮ）案、を支持することができる。この場合に、無線通信インターフェース１６１２は、無線通信案毎に対するＢＢプロセッサ１６１３とＲＦ回路１６１４を含むことができる。
【０２７７】
アンテナスイッチ１６１５のそれぞれは、無線通信インターフェース１６１２に含まれる複数の回路（例えば異なる無線通信案に用いられる回路）との間にアンテナ１６１６の接続先を切替する。
【０２７８】
アンテナ１６１６のそれぞれは、一つ或いは複数のアンテナ素子（例えばＭＩＭＯアンテナに含まれる複数のアンテナ素子）を含み、且つ無線通信インターフェース１６１２が無線信号に対して転送と受信を行うために用いられる。図２７に示すように、スマートフォン１６００は、複数のアンテナ１６１６を含むことができる。図２７が、スマートフォン１６００が複数のアンテナ１６１６を含む例を示したが、スマートフォン１６００は、一つのアンテナ１６１６を含むこともできる。
【０２７９】
また、スマートフォン１６００は、無線通信案毎に対するアンテナ１６１６を含むことができる。この場合に、アンテナスイッチ１６１５は、スマートフォン１６００の配置から省略されることができる。
【０２８０】
バス１６１７は、プロセッサ１６０１、メモリ１６０２、記憶装置１６０３、外部接続インターフェース１６０４、撮像装置１６０６、センサ１６０７、マイクロホン１６０８、入力装置１６０９、表示装置１６１０、スピーカー１６１１、無線通信インターフェース１６１２及び補助コントローラ１６１９を相互に接続する。電池１６１８は、フィーダ線を介して図２７に示すようなスマートフォン１６００のそれぞれのブロックに電力を提供し、フィーダ線は図において部分的に破線として表される。補助コントローラ１６１９は、例えばスリープモードにスマートフォン１６００の最も小さい必要な機能を操作する。
【０２８１】
第二の応用の例
図２８は、本開示内容の技術を応用可能なカーナビ機器１７２０の模式的な配置の例を示すブロック図である。カーナビ機器１７２０は、プロセッサ１７２１、メモリ１７２２、グローバルポジショニングシステム（ＧＰＳ）モジュール１７２４、センサ１７２５、データインターフェース１７２６、コンテンツプレーヤ１７２７、記憶媒体インターフェース１７２８、入力装置１７２９、表示装置１７３０、スピーカー１７３１、無線通信インターフェース１７３３、一つ或いは複数のアンテナスイッチ１７３６、一つ或いは複数のアンテナ１７３７及び電池１７３８を含む。一つの実現方式において、ここのカーナビ機器１７２０（又はプロセッサ１７２１）は、上記端末機器３００Ｂ及び／又は１５００Ａに対応することができる。
【０２８２】
プロセッサ１７２１は、例えばＣＰＵ或いはＳｏＣであり、且つカーナビ機器１７２０のナビゲーション機能と他の機能を制御することができる。メモリ１７２２は、ＲＡＭとＲＯＭを含み、且つデータとプロセッサ１７２１によって実行されるプログラムを記憶する。
【０２８３】
ＧＰＳモジュール１７２４は、ＧＰＳ衛星から受信されたＧＰＳ信号を使用して、カーナビ機器１７２０の位置（例えば緯度、経度と高度）を計測する。センサ１７２５は、一組のセンサ、例えばジャイロセンサ、地磁気センサと空気圧力センサ、を含むことができる。データインターフェース１７２６は、図示しない端末を介して、例えば車載ネットワーク１７４１に接続され、且つ車両によって生成されたデータ（例えば車速データ）を取得する。
【０２８４】
コンテンツプレーヤ１７２７は、記憶媒体（例えばＣＤとＤＶＤ）に記憶されたコンテンツを再生し、該記憶媒体は、記憶媒体インターフェース１７２８に插入される。入力装置１７２９は、例えば表示装置１７３０のスクリーン上の接触を検出するように配置される接触センサ、ボタン或いはスイッチを含み、且つユーザから入力された操作或いは情報を受信する。表示装置１７３０は、例えばＬＣＤ或いはＯＬＥＤディスプレイのスクリーンを含み、且つナビゲーション機能の画像或いは再生されたコンテンツを表示する。スピーカー１７３１は、ナビゲーション機能の音或いは再生されたコンテンツを出力する。
【０２８５】
無線通信インターフェース１７３３は、いずれかのセルラ通信案（例えばＬＴＥとＬＴＥ−Ａｄｖａｎｃｅｄ）を支持し、且つ無線通信を実行する。無線通信インターフェース１７３３は、通常に、例えばＢＢプロセッサ１７３４とＲＦ回路１７３５を含むことができる。ＢＢプロセッサ１７３４は、例えば符号化／復号、変調／復調及び多重／逆多重を実行し、且つ無線通信に用いられる様々なタイプの信号処理を実行することができる。同時に、ＲＦ回路１７３５は、例えばミキサ、フィルタとアンプを含み、且つアンテナ１７３７を介して無線信号に対して転送と受信を行うことができる。無線通信インターフェース１７３３は、ＢＢプロセッサ１７３４とＲＦ回路１７３５が集積された一つのチップモジュールであることもできる。図２８に示すように、無線通信インターフェース１７３３は、複数のＢＢプロセッサ１７３４と複数のＲＦ回路１７３５を含むことができる。図２８が、無線通信インターフェース１７３３が複数のＢＢプロセッサ１７３４と複数のＲＦ回路１７３５を含む例を示したが、無線通信インターフェース１７３３は、一つのＢＢプロセッサ１７３４或いは一つのＲＦ回路１７３５を含んでも良い。
【０２８６】
また、セルラ通信案の外に、無線通信インターフェース１７３３は、他のタイプの無線通信案、例えば短距離無線通信案、近接通信案と無線ＬＡＮ技術案、を支持することができる。この場合に、無線通信案毎に、無線通信インターフェース１７３３は、ＢＢプロセッサ１７３４とＲＦ回路１７３５を含むことができる。
【０２８７】
アンテナスイッチ１７３６のそれぞれは、無線通信インターフェース１７３３に含まれる複数の回路（例えば異なる無線通信案に用いられる回路）との間にアンテナ１７３７の接続先を切替する。
【０２８８】
アンテナ１７３７のそれぞれは、一つ或いは複数のアンテナ素子（例えばＭＩＭＯアンテナに含まれる複数のアンテナ素子）を含み、且つ無線通信インターフェース１７３３が無線信号に対して転送と受信を行うために用いられる。図２８に示すように、カーナビ機器１７２０は、複数のアンテナ１７３７を含むことができる。図２８が、カーナビ機器１７２０が複数のアンテナ１７３７を含む例を示したが、カーナビ機器１７２０が一つのアンテナ１７３７を含んでも良い。
【０２８９】
また、カーナビ機器１７２０は、無線通信案毎に対するアンテナ１７３７を含むことができる。この場合に、アンテナスイッチ１７３６は、カーナビ機器１７２０の配置から省略されることができる。
【０２９０】
電池１７３８は、フィーダ線を介して、図２８に示すようなカーナビ機器１７２０のそれぞれのブロックに電力を提供し、フィーダ線は図において部分的に破線として表される。電池１７３８は、車両から提供される電力を貯える。
【０２９１】
本開示内容の技術は、カーナビ機器１７２０、車載ネットワーク１７４１及び車両モジュール１７４２の一つ或いは複数のブロックを含む車載システム（或いは車両）１７４０として実現されてもよい。車両モジュール１７４２は、車両データ（例えば車速、エンジン速度と故障情報）を生成し、且つ生成されたデータを車載ネットワーク１７４１に出力する。
【０２９２】
以上、附図を参照して本開示の例示的な実施例を説明したが、本開示の以上の例に限定していない。当業者は、添付の請求の範囲内に様々な変更と修正を得ることができ、且つこれら変更と修正は本開示の技術の範囲内に含むと理解すべきである。
【０２９３】
例えば、以上の実施例において一つの手段に含まれる複数の機能は、分離された装置によって実現されることができる。代わりに、以上の実施例において複数の手段によって実現される複数の機能は、それぞれに分離された装置によって実現されることができる。また、以上の機能の一つは、複数の手段によって実現されることができる。もちろん、このような配置は、本開示の技術の範囲に含むべきだ。
【０２９４】
該明細書において、フロー図に記載されたステップは、記載の順序で時間系列的に実行される処理だけでなく、必ず時間系列でなく並行又は個別に実行される処理も含む。また、もちろん、ひいては時間系列的に処理されるステップも適合に該順序を変更してもよい。
【０２９５】
本開示及びその利点を詳細に説明したが、理解すべきことは、添付の請求の範囲に限定された本開示の精神と範囲外でない場合に、様々な変更、代替と変換を行うことができる。更に、本開示の実施例の用語“含む”、“有す”又はそのいずれかの他の変体は、非排他的な含有を示すことで、一系列の要素を含む過程、方法、物品又は機器は、それらの要素だけでなく、明示されていない他の要素も含み、又はこのような過程、方法、物品又は機器に固有の要素も含む。さらに多い制限がない場合に、“一つの……を含む”によって限定される要素は、前記要素を含む過程、方法、物品又は機器にほかの同じ要素も含むことを除外しない。
【図１】
0006881614.tif 000002
【図２Ａ】
0006881614.tif 000003
【図２Ｂ】
0006881614.tif 000004
【図２Ｃ】
0006881614.tif 000005
【図２Ｄ】
0006881614.tif 000006
【図３Ａ】
0006881614.tif 000007
【図３Ｂ】
0006881614.tif 000008
【図４Ａ】
0006881614.tif 000009
【図４Ｂ】
0006881614.tif 000010
【図４Ｃ】
0006881614.tif 000011
【図４Ｄ】
0006881614.tif 000012
【図５Ａ】
0006881614.tif 000013
【図５Ｂ】
0006881614.tif 000014
【図６Ａ】
0006881614.tif 000015
【図６Ｂ】
0006881614.tif 000016
【図６Ｃ】
0006881614.tif 000017
【図７Ａ】
0006881614.tif 000018
【図７Ｂ】
0006881614.tif 000019
【図７Ｃ】
0006881614.tif 000020
【図７Ｄ】
0006881614.tif 000021
【図８Ａ】
0006881614.tif 000022
【図８Ｂ】
0006881614.tif 000023
【図９】
0006881614.tif 000024
【図１０】
0006881614.tif 000025
【図１１Ａ】
0006881614.tif 000026
【図１１Ｂ】
0006881614.tif 000027
【図１２Ａ】
0006881614.tif 000028
【図１２Ｂ】
0006881614.tif 000029
【図１３】
0006881614.tif 000030
【図１４】
0006881614.tif 000031
【図１５Ａ】
0006881614.tif 000032
【図１５Ｂ】
0006881614.tif 000033
【図１６】
0006881614.tif 000034
【図１７Ａ】
0006881614.tif 000035
【図１７Ｂ】
0006881614.tif 000036
【図１８】
0006881614.tif 000037
【図１９Ａ】
0006881614.tif 000038
【図１９Ｂ】
0006881614.tif 000039
【図２０Ａ】
0006881614.tif 000040
【図２０Ｂ】
0006881614.tif 000041
【図２１Ａ】
0006881614.tif 000042
【図２１Ｂ】
0006881614.tif 000043
【図２２】
0006881614.tif 000044
【図２３Ａ】
0006881614.tif 000045
【図２３Ｂ】
0006881614.tif 000046
【図２４】
0006881614.tif 000047
【図２５】
0006881614.tif 000048
【図２６】
0006881614.tif 000049
【図２７】
0006881614.tif 000050
【図２８】
0006881614.tif 000051